(57)【要約】  剃毛かみそりカートリッジが、ハウジングと、少なくとも１つのかみそり刃とを含む。ハウジングは、刃支持部分と、ハンドルインターフェース部分とを含む。刃支持部分は、キャップとガードとを含む。ハンドルインターフェース部分は、前端部と後端部との間に配置され、前壁と、後壁と、上部表面と、ロック部材と、を含む。前壁は、下部表面と内部表面とを含む。後壁は、下部表面と内部表面とを含む。上部表面は、上部開口部を画定する。ロック部材は、後壁の内部表面から前壁に向かって延在する。ロック部材は、ハウジングに対するかみそりハンドルの選択的保持を促進するように構成される。下部表面は下部開口部を画定するように協働する。ハンドルレセプタクルは、下部開口部と上部開口部との間に延在する。
2021516130.tif 000002
【特許請求の範囲】
【請求項１】
前端部（１６）と後端部（１８）との間に延在するハウジング（２０）であって、
前記前端部（１６）と前記後端部（１８）との間に配置された刃支持部分（２６）であって、
キャップ（３６）と、
前記キャップ（３６）から離間されており、前記キャップ（３６）と協働して剃毛平面を規定するガード（３８）と、を備える刃支持部分（２６）と、
前記前端部（１６）と前記後端部（１８）との間に配置されたハンドルインターフェース部分（２２）であって、
下部表面（５８）と内部表面（５２）とを備える前壁（４６）と、
下部表面（６０）と内部表面（５４）とを備える後壁（４８、１０４８）であって、前記前壁（４６）と前記後壁（４８、１０４８）は、前記内部表面（５２、５４）が協働してハンドルレセプタクル（２４）を少なくとも部分的に画定するように、互いに離間されている、後壁（４８、１０４８）と、
上部開口部（６８、１０６８）を画定する上部表面（６６）と、
前記後壁（４８、１０４８）の前記内部表面から前記前壁（４６）に向かって延在するロック部材（８８）であって、前記ハウジング（２０）に対するかみそりハンドル（１４、１０１４）の選択的保持を促進するように構成されているロック部材（８８）と、を備えるハンドルインターフェース部分（２２）と、を備えるハウジング（２０）と、
前記キャップ（３６）と前記ガード（３８）との間の前記刃支持部分（２６）内に配設された少なくとも１つのかみそり刃（４４）と、を備え、
前記下部表面（５８、６０）は下部開口部（６４、１０６４）を画定するように協働し、
前記ハンドルレセプタクル（２４）は、前記下部開口部（６４、１０６４）と前記上部開口部（６８、１０６８）との間に延在し、
前記ロック部材（８８）は、前記後壁（４８、１０４８）の上に張り出して前記ハンドルレセプタクル（２４）の中へと延在し、
前記上部開口部（６８、１０６８）は、前記下部開口部（６４、１０６４）よりも前記剃毛平面に近接している、剃毛かみそりカートリッジ（１２、１０１２）。
【請求項２】
前記ロック部材（８８）は、前記後壁（４８、１０４８）から、約１ｍｍ〜約３ｍｍの垂直距離で延在する、請求項１に記載の剃毛かみそりカートリッジ（１２、１０１２）。
【請求項３】
前記垂直距離は約２ｍｍである、請求項２に記載の剃毛かみそりカートリッジ（１２、１０１２）。
【請求項４】
前記ロック部材（８８）は、偏向部材（９４）と、少なくとも１つの支持アームと、を備え、
前記少なくとも１つの支持アームは、前記後壁（４８、１０４８）と連結されており、前記後壁（４８、１０４８）から延在し、
前記偏向部材（９４）は、前記少なくとも１つの支持アームと連結されている、請求項１〜３のいずれか一項に記載の剃毛かみそりカートリッジ（１２、１０１２）。
【請求項５】
前記偏向部材（９４）は、一対の遠位部材（９６）と、前記一対の遠位部材（９６）の間に介挿された中央部分（１４８）と、を備え、
前記少なくとも１つの支持アームは一対の支持アーム（９２）を含み、
前記遠位部材（９６）は、前記支持アーム（９２）のうちの対応する１つに連結されており、
前記中央部分（１４８）は、前記遠位部材（９６）よりも前記前壁（４６）に近接している、請求項４に記載の剃毛かみそりカートリッジ（１２、１０１２）。
【請求項６】
前記偏向部材（９４）は上部表面（１００）を備え、前記後壁（４８、１０４８）の前記下部表面（６０）と前記偏向部材（９４）の前記上部表面（１００）は互いに離間されており、それらの間にスロット（１０２）を画定するように協働する、請求項５に記載の剃毛かみそりカートリッジ（１２、１０１２）。
【請求項７】
前記偏向部材（９４）の前記上部表面（１００）と前記後壁（４８、１０４８）の前記内部表面（６０）は、互いに対して９０度未満の角度をなす、請求項６に記載の剃毛かみそりカートリッジ（１２、１０１２）。
【請求項８】
前記偏向部材（９４）の前記上部表面（１００）と前記後壁（４８、１０４８）の前記内部表面（６０）は、互いに対して約８０度の角度をなす、請求項７に記載の剃毛かみそりカートリッジ（１２、１０１２）。
【請求項９】
前記後壁（４８、１０４８）の前記内部表面は、実質的に平面であり、前記ロック部材（８８）と交差する後方平面を規定し、
前記偏向部材（９４）は、前記後方平面と前記前壁（４６）との間に介挿される、請求項１〜３のいずれか一項に記載の剃毛かみそりカートリッジ（１２、１０１２）。
【請求項１０】
前記前壁（４６）は第１の高さを有し、前記後壁（４８、１０４８）は第２の高さを有し、前記第１の高さは前記第２の高さよりも低い、請求項１〜９のいずれか一項に記載の剃毛かみそりカートリッジ（１２、１０１２）。
【請求項１１】
前記少なくとも１つのかみそり刃（４４）は、前記刃支持部分（２６）の両側部（３０）の間に横方向に延在し、
前記下部開口部（６４、１０６４）は、前記ハンドルインターフェース部分（２２）に沿って横方向に延在する第１の長さを有し、
前記上部開口部（６８、１０６８）は、前記ハンドルインターフェース部分（２２）に沿って横方向に延在する第２の長さを有し、
前記第１の長さは前記第２の長さよりも長い、請求項１０に記載の剃毛かみそりカートリッジ（１２、１０１２）。
【請求項１２】
前記上部表面（６６）は、前記剃毛平面からのある垂直距離内にある、請求項１〜１１のいずれか一項に記載の剃毛かみそりカートリッジ（１２、１０１２）。
【請求項１３】
前記第１の長さは約２９ｍｍ〜約３９ｍｍであり、前記第２の長さは約２６ｍｍ〜約３６ｍｍである、請求項１２に記載の剃毛かみそりカートリッジ（１２、１０１２）。
【請求項１４】
前記上部表面（６６）は、前記剃毛平面と前記下部表面（５８、６０）との間に配設されている、請求項１２に記載の剃毛かみそりカートリッジ（１２、１０１２）。
【請求項１５】
前記垂直距離は１ｍｍ未満である、請求項１４に記載の剃毛かみそりカートリッジ（１２、１０１２）。
【発明の詳細な説明】
【技術分野】
【０００１】
以下に記載されるシステムは概して、剃毛に関するものであり、ハンドルとかみそりカートリッジとを含む。
【背景技術】
【０００２】
概して、安全かみそりのカートリッジ又は刃ユニットは、カートリッジが取り付けられたハンドルによって、剃毛される皮膚の表面にわたって動かされる、刃先を有する少なくとも１つの刃を有する。一部の剃毛かみそりには、ハンドルに対して枢動し、剃毛中に皮膚の輪郭に沿うよう、ばね付勢されたカートリッジが備えられている。カートリッジは、刃の切れ味が不充分な程度にまで低下した時点で、カートリッジを新しいカートリッジに交換することができるように、ハンドルに着脱可能に装着されてもよく、あるいは、刃の切れ味が鈍くなった時点でかみそり全体を廃棄することを想定して、ハンドルに永久的に取り付けられてもよい。かみそりカートリッジは通常、剃毛中に刃の前方の皮膚と接触するガードと、刃の後方の皮膚と接触するキャップと、を含む。キャップ及びガードは、いわゆる「剃毛ジオメトリ」、すなわち、剃毛中の皮膚に対する刃の向き及び位置を決定するパラメータを確立する助けとなり、このパラメータは、かみそりの剃毛性能及び有効性に大きく影響することがある。キャップは、抵抗を低減し快適性を高める、水滲出性の剃毛補助剤を含んでよい。ガードは一般に剛性を有するものであってもよく、例えば、刃の支持を提供するフレーム又はプラットフォーム構造体と一体的に形成される。ガードはまた、より軟質のエラストマー材を含んで、皮膚の引き延ばしを改善させ得る。
【０００３】
剃毛システムは、ハンドルと、交換可能なカートリッジと、からなることが多く、カートリッジ中には、１枚以上の刃が、プラスチックハウジングの中に装着されている。カートリッジ内の刃が使用のために鈍くなった後で、カートリッジは廃棄されて、ハンドル上に新しいカートリッジが置き換えられる。カートリッジをハンドルに固定するために様々な連結スキームを利用するこれらのタイプの剃毛システムが普及している。この連結スキームは、消費者が、容易に、反復的に、効率的に、かつ直感的に新しいカートリッジをハンドルに装填し、使用済みカートリッジをハンドルから取り外すことを可能にし、剃毛中にハンドル−カートリッジ取り付けの完全性を維持するために必要な保持力を提供する。
【０００４】
連結スキームは、剃毛中のハンドル−カートリッジ取り付けの完全性を維持するために必要な保持力を提供するように十分に堅牢でなければならない。かみそりハンドルへのかみそりカートリッジの取り付けは、広範な剃毛条件にわたって、かみそりハンドルにかみそりカートリッジを固定するのに十分な保持力を提供し得るものである。一部のシェーバーは、剃毛時に非常に大きな力を使用し、一部のかみそりは、かみそりカートリッジの側部又は後部に装着されたヘアトリミングシステムを有している。対照的に、解放可能に接続されるかみそりカートリッジを使用するかみそりは、シェーバーによるカートリッジの容易な交換を円滑にするために、取り付け力及び解放力を小さくし得る。
【０００５】
多くのかみそりのかみそりカートリッジはまた、かみそりハンドルとの旋回関係をなし得る。ほとんどの既存のかみそりは、典型的には、かみそりカートリッジ上又はかみそりカートリッジとかみそりハンドルとの境界面におけるこの旋回関係を可能にする機構を提供している。これらの旋回機構は、製造するのに費用高となることがあり、かみそりカートリッジの総製造コストのかなりの割合を占めることにもなり得る。
【発明の概要】
【発明が解決しようとする課題】
【０００６】
したがって、より簡単で、より安価で、より直感的で、かつ信頼性の高い剃毛ハンドル−カートリッジ連結の必要性が存在する。
【課題を解決するための手段】
【０００７】
一実施形態によれば、剃毛かみそりカートリッジは、ハウジングと、少なくとも１つのかみそり刃と、を備える。ハウジングは、前端部と後端部との間に延在する。ハウジングは、刃支持部分と、ハンドルインターフェース部分とを備える。刃支持部分は、前端部と後端部との間に配置され、キャップとガードとを備える。ガードは、キャップから離間されており、キャップと協働して剃毛平面を規定する。ハンドルインターフェース部分は、前端部と後端部との間に配置され、前壁と、後壁と、上部表面と、ロック部材と、を備える。前壁は、下部表面と内部表面とを備える。後壁は、下部表面と内部表面とを備える。前壁と後壁は、内部表面が協働して、ハンドルレセプタクルを少なくとも部分的に画定するように、互いに離間されている。上部表面は、上部開口部を画定する。ロック部材は、後壁の内部表面から前壁に向かって延在する。ロック部材は、ハウジングに対するかみそりハンドルの選択的保持を促進するように構成される。少なくとも１つのかみそり刃は、キャップとガードとの間の刃支持部分内に配設される。下部表面は下部開口部を画定するように協働する。ハンドルレセプタクルは、下部開口部と上部開口部との間に延在する。ロック部材は、後壁の上に張り出してハンドルレセプタクルの中へと延在する。上部開口部は、下部開口部よりも剃毛平面に近接している。
【０００８】
別の実施形態によれば、剃毛かみそりカートリッジは、ハウジングと、少なくとも１つのかみそり刃と、を備える。ハウジングは、前端部と後端部との間に延在する。ハウジングは、刃支持部分と、ハンドルインターフェース部分とを備える。刃支持部分は、前端部と後端部との間に配置され、キャップとガードとを備える。ガードは、キャップから離間されており、キャップと協働して剃毛平面を規定する。ハンドルインターフェース部分は、前端部と後端部との間に配置され、前壁と、後壁と、上部表面と、ロック部材と、を備える。前壁は、下部表面と内部表面とを備える。後壁は、下部表面と内部表面とを備える。前壁と後壁は、内部表面が協働して、ハンドルレセプタクルを少なくとも部分的に画定するように、互いに離間されている。上部表面は、上部開口部を画定する。ロック部材は、後壁の内部表面から前壁に向かって延在する。ロック部材は、ハウジングに対するかみそりハンドルの選択的保持を促進するように構成される。少なくとも１つのかみそり刃は、キャップとガードとの間の刃支持部分内に配設される。下部表面は下部開口部を画定するように協働する。ハンドルレセプタクルは、下部開口部と上部開口部との間に延在する。上部開口部は、下部開口部よりも剃毛平面に近接している。ロック部材は、偏向部材と、後壁の上に張り出してハンドルレセプタクルの中へと延在する一対の支持アームと、を備える。一対の支持アームのうちの各支持アームは、後壁と連結されており、後壁から延在する。偏向部材は、一対の遠位部材と、一対の遠位部材の間に介挿された中央部分と、を備える。遠位部材は、支持アームのうちの対応する１つに連結されている。中央部分は、遠位部材よりも前壁に近接している。
【図面の簡単な説明】
【０００９】
特定の実施形態は、以下の説明文を添付の図面と共に考慮することでより深い理解が得られるものと考えられる。
【図１】一実施形態による、ハンドルとカートリッジとを有する剃毛システムを示す部分分解等角図である。
【図２】図１のカートリッジを示す上部背面等角図である。
【図３】図１のカートリッジを示す下部正面等角図である。
【図４】図１のカートリッジを示す下部平面図である。
【図５】図１のカートリッジを示す上部平面図である。
【図６】図３の線６−６に沿った断面図である。
【図７】図１のカートリッジを示す下部正面等角図である。
【図８】図３の線８−８に沿った断面図である。
【図９】図３の線９−９に沿った断面図である。
【図１０】図３の線１０−１０に沿った断面図である。
【図１１】図１のハンドルを示す下部正面等角図である。
【図１２】図１のハンドルを示す分解上部等角図である。
【図１３】図１２の線１３−１３に沿った断面図である。
【図１４】図１のハンドルを示す分解正面側部等角図である。
【図１５】図１のハンドルを示す分解下部等角図である。
【図１６】図１のハンドルを示す分解上部等角図である。
【図１７】ハンドルの旋回ヘッドとカートリッジが互いに離間されている、図１の剃毛システムを示す部分分解側面図である。
【図１８】旋回ヘッドが図１７よりもカートリッジに近接して示された、図１７の剃毛システムを示す部分分解側面図である。
【図１９】図１８の剃毛システムを示す下部側面等角図である。
【図２０】図１９の線２０−２０に沿った断面図である。
【図２１】旋回ヘッドがカートリッジのハンドルレセプタクルの中に挿入されて示された、図１８の剃毛システムを示す部分分解側面図である。
【図２２】図２１の剃毛システムを示す下部側面等角図である。
【図２３】図２２の線２３−２３に沿った断面図である。
【図２４】旋回ヘッドがカートリッジのハンドルレセプタクルの中に更に挿入されて示された、図２１の剃毛システムを示す部分分解側面図である。
【図２５】図２４の剃毛システムを示す下部側面等角図である。
【図２６】図２５の線２６−２６に沿った断面図である。
【図２７】旋回ヘッドがカートリッジのハンドルレセプタクルの中に更に挿入されて示された、図２６の剃毛システムを示す部分分解側面図である。
【図２８】図２７の剃毛システムを示す下部側面等角図である。
【図２９】図２８の線２９−２９に沿った断面図である。
【図３０】旋回ヘッドがカートリッジのハンドルレセプタクルの中に完全に挿入されて示された、図２７の剃毛システムを示す部分分解側面図である。
【図３１】図３０の剃毛システムを示す下部側面等角図である。
【図３２】図３１の線３２−３２に沿った断面図である。
【図３３】図２７の剃毛システムを示す下部平面図である。
【図３４】説明を明確にするために特定の構成要素が取り除かれた、図３１の線３４−３４に沿った断面図である。
【図３５】図３１の線３５−３５に沿った断面図である。
【図３６】ハンドルが完全旋回位置に示された、図３５の断面図である。
【図３７】別の実施形態による、ハンドルとカートリッジとを有する剃毛システムを示す部分分解等角図である。
【図３８】図３７のハンドルを示す上部等角図である。
【図３９】図３７のカートリッジを示す等角図である。
【発明を実施するための形態】
【００１０】
図１〜図３９の図面及び例に関連して述べるが、これらの図において、同様の参照符号が、図面の全体を通じて、同一の又は対応する要素を示しており、剃毛システム１０は、ユーザの皮膚の剃毛を容易にするように協働し得るカートリッジ１２とハンドル１４とを含むものとして図１に示されている。カートリッジ１２は、前端部１６と後端部１８との間に延在し得、ハウジング２０を含み得る。ハウジング２０はハンドルインターフェース部分２２を含み得るが、このハンドルインターフェース部分は、前端部１６に配設されるものであり、カートリッジ１２へのハンドル１４の取り付けを容易にするハンドルレセプタクル２４を画定する。ハウジング２０はまた、後端部１８に配設された刃支持部分２６を含み得る。一実施形態では、ハウジング２０は、ポリフェニレンオキシドなどの熱可塑性材料から形成され得る。しかしながら、ハウジング２０が任意の様々な好適な付加的又は代替的材料から形成され得ることは認識されたい。
【００１１】
複数のかみそり刃２８が、刃支持部分２６内に配設されてよく、刃支持部分２６の両側部３０の間に横方向に延在し得る。一実施形態では、かみそり刃２８は、ステンレス鋼で形成され得るが、追加的に又は代替的に、様々な好適な材料（例えば、金属又は非金属）のいずれかから形成されてもよい。かみそり刃２８は直線状のかみそりであることが示されているが、丸みを帯びた刃のアレイなど、様々な好適な代替のかみそり刃のいずれかが使用され得ることを認識されたい。カートリッジ１２はまた、カートリッジ１２の望まれる性能及びコストに応じて、任意の枚数の刃であってよい。カートリッジ１２は、例えば、１枚のかみそり刃、２枚のかみそり刃、３枚のかみそり刃、４枚のかみそり刃、５枚のかみそり刃、６枚のかみそり刃、７枚のかみそり刃、あるいは更により多くのかみそり刃を有し得る。
【００１２】
ハンドル１４は、本体３２と、本体３２と旋回式に連結された旋回ヘッド３４とを含み得る。旋回ヘッド３４は、カートリッジ１２とハンドル１４との連結を容易にするために、ハンドルレセプタクル２４内に選択的に挿入され得る。カートリッジ１２とハンドル１４とが一緒に連結されると、ユーザはハンドル１４の本体３２を把持して、カートリッジ１２を用いたユーザの皮膚の剃毛を容易に行うことができる。カートリッジ１２は、交換のためにハンドル１４から選択的に取り外され得る使い捨て式カートリッジであってもよい。かみそり刃２８が鈍化（又は損傷）すると、消費者は、カートリッジ１２を旋回ヘッド３４から係合解除し、カートリッジ１２を新しいカートリッジと交換することができる。
【００１３】
本体３２は、ユーザの手による本体３２の把持を効果的にする、パターン付きのエラストマーコーティングなどの任意の様々な好適な把持特徴部を設けられ得る。ハンドル１４は、任意の好適な形状をなし得ることを認識されたい。ハンドル１４は、例えば、細長い樽の形状であってもよく、あるいは起伏のある形状であってもよい。ハンドル１４は、任意の好適な材料から作製されてよい。ハンドル１４は、例えば、金属、ポリマー、エラストマー、プラスチック、熱可塑性物質、ゴム、若しくは任意の他の好適な材料、又はこれらの任意の組み合わせから作製されてよい。ハンドル１４は、任意の好適なプロセスによって作製されてよい。ハンドル１４は、例えば、成形、射出成形、インサート射出成形、鋳造、ダイキャスト、押出成形、任意の他の好適な方法、又はこれらの任意の組み合わせによって作製されてよい。本明細書に記載されるハンドル１４は、本明細書と同時に出願され、参照により本明細書に組み込まれる、同一所有者のものであり同時係属中である米国特許出願（代理人整理番号１５１３６Ｐ、１５１３７Ｐ、及び１５１３８Ｐ）に開示されているハンドルの様々な実施形態の１つ以上の特徴部を追加的又は代替的に含み得る。
【００１４】
ここで図２を参照すると、刃支持部分２６は、キャップ３６と、ガード３８とを備え得る。かみそり刃２８がキャップ３６とガード３８との間に配設されるように、キャップ３６は、かみそり刃２８の後ろ（例えば、後端部１８）に配置されてよく、ガード３８はかみそり刃２８の前方（例えば、かみそり刃２８とハンドルインターフェース部分２２との間）に配置されてよい。キャップ３６とガード３８は、キャップ３６及びガード３８に接する剃毛平面Ｐ１を規定するように協働し得る。剃毛中、ユーザの皮膚の剃毛を容易にするためのかみそり刃２８による係合のため、ユーザの皮膚が剃毛平面Ｐ１に沿ってあるいはその中へと延在するように、ユーザの皮膚はキャップ３６及びガード３８と当接して配置され得る。
【００１５】
キャップ３６は、ハウジング２０に装着される個別の成形構成要素又は押出成形構成要素であってよい。キャップ３６は、例えば、剃毛補助剤充填リザーバ、押出潤滑ストリップ、及び／又は、皮膚を支持し、更に剃毛平面Ｐ１を規定するプラスチック若しくは金属バーであってもよい。キャップ３６は、ハウジング２０と同じ材料から成形若しくは押出成形されてよく、あるいは剃毛ストローク中の快適さを増すために、１つ以上の水滲出性の剃毛補助剤材料を有するより潤滑性のある剃毛補助剤複合材料から成形又は押出成形されてよい。
【００１６】
ガード３８は、かみそり刃２８と概ね平行に延在してもよく、剃毛ストローク中に皮膚を伸張させるための皮膚係合部材３９を備えてもよい。皮膚係合部材３９は、分割されたバー（例えば、複数のフィンを画定する）であることが示されているが、代替的に、中実の（例えば、滑らかな）バーであってもよい。皮膚係合部材３９は、例えば、ハウジングに対してインサート射出成形又は共射出成形されてもよい。接着、接合、結合、超音波溶接、又は機械的締結などの他の既知の組立方法も用いられてよい。皮膚係合部材３９は、ハウジング２０よりも軟質（すなわち、低デュロメータ硬度）の材料から形成されてもよい。例えば、皮膚係合部材３９は、約２０〜７０のショアＡ硬度を有する材料から形成され得る。皮膚係合部材３９は、熱可塑性エラストマー（ＴＰＥ）又はゴムから形成され得るが、それらのいくつかの例としては、限定するものではないが、シリコン、天然ゴム、ブチルゴム、ニトリルゴム、スチレンブタジエンゴム、スチレンブタジエンスチレン（ＳＢＳ）ＴＰＥ、スチレンエチレンブタジエンスチレン（ＳＥＢＳ）ＴＰＥ（例えば、Ｋｒａｔｏｎ）、ポリエステルＴＰＥ（例えば、Ｈｙｔｒｅｌ）、ポリアミドＴＰＥ（Ｐｅｂａｘ）、ポリウレタンＴＰＥ、ポリオレフィン系ＴＰＥ、及びこれらのＴＰＥの任意のブレンド（例えば、ポリエステル／ＳＥＢＳブレンド）が挙げられ得る。特定の実施形態では、皮膚係合部材３９は、Ｋｒａｉｂｕｒｇ  ＨＴＣ  １０２８／９６、ＨＴＣ  ８８０２／３７、ＨＴＣ  ８８０２／３４、又はＨＴＣ  ８８０２／１１（ＫＲＡＩＢＵＲＧ  ＴＰＥ  ＧｍｂＨ  ＆  Ｃｏ．ＫＧ（Ｗａｌｄｋｒａｉｂｕｒｇ，Ｇｅｒｍａｎｙ））を含んでもよい。皮膚係合部材３９のより軟質の材料は、皮膚伸張を向上させるばかりでなく、剃毛ストローク中にユーザの皮膚に対してより快適な触感を提供することができる。より軟質の材料はまた、ハウジング２０及び／又はかみそり刃２８のより硬質の材料が、剃毛ストローク中にユーザの皮膚に与える不快な感覚を軽減するのに役立ち得る。
【００１７】
トリマー組立体４０は、カートリッジ１２の後端部１８上に設けられ、一対のクリップ４２によって定位置に保持され得る。トリマー組立体４０は、剃毛平面Ｐ１から離れて延在する刃４４を含むことができ、ユーザの毛（例えば、もみあげ）の正確なトリミングに使用され得る。クリップ４２は、ハウジング２０に対するかみそり刃２８の保持を更に容易にすることができる。トリマー組立体（例えば４０）及び／又はかみそり刃（例えば２８）をハウジング２０に固定及び／又は装着するために、限定するものではないが、ワイヤラッピング、冷間成形、熱かしめ、インサート成形、超音波溶着、及び接着を含めて、当業者に知られている他の組立方法が、追加的にあるいは代替的に用いられてもよい。クリップ４２は、例えば、熱伝導を促進することができ、かつ／又は、かみそり刃２８の腐食を防止するのに役立つ犠牲アノードとして働き得る、アルミニウムなどの金属から形成されてもよい。
【００１８】
ここで図３及び図４を参照するが、ハンドルインターフェース部分２２は、前壁４６と、後壁４８と、一対の側壁５０と、を含み得る。後壁４８は、前壁４６よりも刃支持部分２６に近接してもよい。一実施形態では、後壁４８が刃支持部分２６のうちの一部分を画定する（例えば、ハンドルインターフェース部分２２と刃支持部分２６が互いに直接隣接する）ように、後壁４８はハンドルインターフェース部分２２と刃支持部分２６との間に介挿されてもよい。
【００１９】
前壁４６は、前方内部表面５２を含んでもよく、後壁４８は後方内部表面５４を含んでもよく、側壁５０の各々は、それぞれの側方内部表面５６（図４）を含んでもよい。前方内部表面５２と、後方内部表面５４と、側方内部表面５６とが協働してハンドルレセプタクル２４の一部分を画定するように、前壁４６は後壁４８から離間されてもよく、側壁５０は、前壁４６と後壁４８との間に延在してもよく、互いに離間されてもよい。
【００２０】
前壁４６、後壁４８、及び側壁５０の各々は、それぞれの下部表面５８、６０、６２を含み得る。下部表面５８、６０、６２は、下部開口部６４を画定するように協働することができる。ハンドルレセプタクル２４は、下部開口部６４へと延在してもよく、下部開口部６４は、ハンドル１４の旋回ヘッド３４をハンドルレセプタクル２４に挿入することを可能にするように構成され得る。
【００２１】
ここで図５を参照すると、ハンドルインターフェース部分２２は、下部表面５８、６０、６２としてカートリッジ１２の反対側に位置する上部表面６６を含むことができる。上部表面６６は、下部開口部６４と比べて剃毛平面Ｐ１により近接している上部開口部６８を画定することができる。上部開口部６８は、外周Ｍ１を規定することができる。一実施形態では、外周Ｍ１は、約４５ｍｍ〜約９０ｍｍ、好ましくは約６６．５ｍｍであってよい。ハンドルレセプタクル２４は、上部開口部６８へと延在することができ、以下でより詳細に説明されるように、ハンドル１４の旋回ヘッド３４の一部分が上部表面６６を通じて突出することを可能にするように構成され得る。上部開口部６８は個別の開口部として示されているが、上部表面６６は、例えば一対の上部開口部などの任意の数量の上部開口部を画定し得ることを認識されたい。
【００２２】
ここで図４及び図５を参照するが、下部開口部６４は、ハンドルインターフェース部分２２に沿ってハンドルインターフェース部分２２の両側部３０の間に横方向に延在する長さＬ１を有し得る。横方向に延在することは、長さＬ１がカートリッジ１２の剃毛方向（例えば、剃毛を容易にするためにカートリッジ１２がユーザの皮膚に沿って引かれる方向）に対して垂直な方向に測定されることを意味すると理解され得ることを認識されたい。下部開口部６４はまた、ハンドルインターフェース部分２２に沿って（例えば、前壁４６と後壁４８との間）に長手方向に延在する幅Ｗ１を有し得る。長手方向に延在することは、幅Ｗ１がカートリッジ１２の剃毛方向と実質的に平行な方向に測定されることを意味すると理解され得ることを認識されたい。上部開口部６８は、ハンドルインターフェース部分２２に沿って横方向（例えば、図４に示されるショルダ部分７０の間）に延在する長さＬ２を有し得る。上部開口部６８は、ハンドルインターフェース部分２２に沿って長手方向に延在する幅Ｗ２を有し得る。
【００２３】
下部開口部６４は概ね、上部開口部６８よりも大きくてもよい。具体的には、下部開口部６４の長さＬ１及び幅Ｗ１は、それぞれ上部開口部６８のＬ２及び幅Ｗ２と比べて、より長く、より広くてよい。一実施形態では、下部開口部６４の長さＬ１は、約２９ｍｍ〜約３９ｍｍ、好ましくは約３４ｍｍであり得、上部開口部６８の長さＬ２は、約２６ｍｍ〜約３６ｍｍ、好ましくは約３１ｍｍであり得る。一実施形態では、下部開口部６４の幅Ｗ１は、約３ｍｍ〜約８ｍｍ、好ましくは約６．５ｍｍであり得、上部開口部６８の幅Ｗ２は、約１．５ｍｍ〜約５ｍｍ、好ましくは約３．６ｍｍであり得る。下部開口部６４と上部開口部６８との相対的な寸法は、旋回ヘッド３４をハンドルレセプタクル２４の中へと導入するための直感的な経路を提供し得るものであり、旋回ヘッド３４をハンドルレセプタクル２４内の完全導入位置へと案内し得るものである。
【００２４】
図４に示されるように、カートリッジ１２のハウジング２０は、前端部１６と後端部１８との間で長手方向に測定される全幅Ｗ０を規定し得る。ハウジング２０の全幅Ｗ０と上部開口部６８の幅Ｗ２との比は、約３：１〜約２：１であり得る。一実施形態において、ハウジング２０の全幅Ｗ０は約１０ｍｍ〜約１１ｍｍであり得る。
【００２５】
ここで図６を参照するが、前壁４６は後壁４８よりも短くてもよい。具体的には、前壁４６は、前壁４６の（最高点における）下部表面５８と上部表面６６との間で測定される垂直高さＨ１を有し得る。後壁４８は、後壁４８の（最高点における）下部表面６０と上部表面６６との間で測定される垂直高さＨ２を有し得る。垂直高さＨ１は、垂直高さＨ２よりも低くてもよい。一実施形態では、垂直高さＨ１は、約１．５ｍｍ〜約７．５ｍｍ、好ましくは約２．５ｍｍであり得、垂直高さＨ２は、約７．５ｍｍ〜約１２ｍｍ、好ましくは約９ｍｍであり得る。後壁４８の垂直高さＨ２に対する前壁４６の垂直高さＨ１は、以下で更に詳細に説明されるように、カートリッジ１２の前端部１６から旋回ヘッド３４を導入するための十分なクリアランスを設け得るものである。また、垂直寸法（例えば、垂直距離又は垂直高さ）は、剃毛平面Ｐ１に対して垂直な方向に測定される寸法を意味すると理解され得ることを認識されたい。
【００２６】
上部表面６６は、剃毛平面Ｐ１から垂直距離Ｄ１内にあってもよく、この垂直距離は、いくつかの実施形態では、約０ｍｍ（例えば、剃毛平面Ｐ１に沿って延在する）〜１ｍｍ、好ましくは約０．２５ｍｍ〜０．５ｍｍであり得る。一実施形態では、図６に示されるように、上部表面６６は剃毛平面Ｐ１から離間されていてもよい。他の実施形態では、上部表面６６は、垂直距離Ｄ１が実質的にゼロになるように剃毛平面Ｐ１を規定し得る。上部表面６６が剃毛平面Ｐ１に近接することにより、ハンドル１４の旋回ヘッド３４は、以下で更に詳細に説明されるように、剃毛中にユーザの皮膚に効果的に接触して皮膚に効果（例えば、潤滑性又は熱）を提供することが可能となり得る。
【００２７】
再び図４及び図６を参照するが、ハンドルインターフェース部分２２は、一対のショルダ部分７０を含んでもよく、このショルダ部分はそれぞれ、上部表面６６へと延在し、上部表面６６と協働して上部開口部６８を少なくとも部分的に画定している。ショルダ部分７０の各々は、前方内部表面５２、後方内部表面５４、及び側方内部表面５６のうちの１つとインターフェースするショルダ表面７２を備えている。前壁４６、後壁４８、及び側壁５０の各々が協働して、ショルダ表面７２と、前方内部表面５２、後方内部表面５４、及び側方内部表面５６の各々との境界面に沿って延在する外周Ｍ２（図４）を規定している。各ショルダ部分７０は、上部開口部６８の外周Ｍ１が外周Ｍ２よりも長くなるように、前壁４６、後壁４８、及び側壁５０のうちの１つから横方向内向きに延在し得る。一実施形態では、外周Ｍ２は、約４０ｍｍ〜約１００ｍｍ、好ましくは約６０ｍｍ〜約８０ｍｍであり得る。
【００２８】
側壁５０におけるショルダ部分７０の位置は有利にも、結果的にカートリッジ１２の全体的なサイズを、いくつかの従来のカートリッジ構成と比べて長手方向により小さくし得る。全ての状況が同等であれば、消費者は通常、長手方向にコンパクトであるかみそりカートリッジを好む。ショルダ部分７０をハンドルレセプタクル２４の周囲に部分的に延在させることによって、上部開口部６８の外周Ｍ１が最大化され得るが、以下の付加的な考察から認識されるように、これにより、ユーザの皮膚との旋回ヘッド３４の接触が向上され得る。
【００２９】
図６に示されるように、ショルダ部分７０のうちの１つのショルダ表面７２は、垂直距離Ｄ２だけ剃毛平面Ｐ１から離間して示されている。一実施形態では、垂直距離Ｄ２は、約０．５ｍｍ〜約３ｍｍ、好ましくは約１ｍｍであり得る。垂直距離Ｄ２は、剃毛システム１０の剃毛形状の制御に影響を及ぼし得るものであり、以下で更に詳細に説明されるように、上部開口部６８を通じて皮膚に効果（例えば、熱又は潤滑性）を提供する旋回ヘッド３４の性能に影響を及ぼし得る。ショルダ部分７０のうちの１つのみが図６に示されているが、他のショルダ部分７０のショルダ表面７２（図４に示される）が剃毛平面Ｐ１から同様に離間され得ることを認識されたい。しかしながら、ショルダ表面７２は、剃毛平面Ｐ１から別様に離間されてもよいことが想到される。
【００３０】
ここで図２、図４、及び図６を参照するが、ハンドルインターフェース部分２２は、前壁４６と上部表面６６との間、及びショルダ部分７０の間に延在する前方リップ部分７４を含み得る。前方リップ部分７４は、前方内部表面５２と上部表面６６との間に延在するリップ表面７６（図２及び図６）を含み得る。リップ表面７６は、前壁４６の前方内部表面５２と共平面をなさなくてもよい。例えば、一実施形態では、図６に示されるように、リップ表面７６は平面Ｐ２に沿って延在してもよく、前方内部表面５２は、平面Ｐ２に対して共平面をなさない（例えば、角度をなす）平面Ｐ３に沿って延在してもよい。一実施形態では、リップ表面７６は、平面Ｐ２が剃毛平面Ｐ１に対して実質的に垂直となるように配置され得る。以下で更に詳細に説明されるように、前方リップ部分７４は、ハンドル１４の旋回ヘッド３４と係合するように構成され得る。
【００３１】
ここで図４及び図７を参照すると、後壁４８は、中央部分７８と、中央部分７８から側壁５０のうちの１つへとそれぞれが延在する一対の遠位部分８０（図７）と、を含み得る。後壁４８は、遠位部分８０の各々がノッチ８２を画定するように、中央部分７８よりも遠位部分８０においてより薄くなっていてもよい。例えば、図４に示されるように、中央部分７８は厚さＴ１を有し得るが、遠位部分８０の各々は厚さＴ２を有し得る。中央部分７８の厚さＴ１は、遠位部分８０の厚さＴ２よりも厚くてもよい。第１の厚さＴ１と第２の厚さＴ２との比は、約３：１〜約３：２であり得る。一実施形態では、厚さＴ１は、約０．７５ｍｍ〜約３ｍｍ、好ましくは約１ｍｍ〜２ｍｍであり得、厚さＴ２は、約０．５ｍｍ〜約１ｍｍ、好ましくは約０．６ｍｍ〜０．８ｍｍであり得る。
【００３２】
中央部分７８及び遠位部分８０の各々の相対的厚さＴ１、Ｔ２により、結果として、後壁４８の中央部分７８における後方内部表面５４と比べて、遠位部分８０における後壁４８の後方内部表面５４が、前壁４６の前方内部表面５２からより遠く離間されることになり得る。例えば、図６に示されるように、後壁４８の中央部分７８における後方内部表面５４は、水平距離Ｄ３だけ前方内部表面５２から離間され得る。遠位部分８０における後方内部表面５４は、水平距離Ｄ３よりも長い水平距離Ｄ４だけ前方内部表面５２から離間され得る。水平距離とは、剃毛平面Ｐ１に平行な方向で測定される距離を意味すると理解され得ることを認識されたい。
【００３３】
ここで図６及び図７を参照すると、遠位部分８０の各々に位置する後壁４８の後方内部表面５４は、各ノッチ８２が下部表面６０とショルダ部分７０のうちの１つとの間で完全に垂直に延在するように、実質的に平面であるように示され、後壁４８の下部表面６０とショルダ部分７０との間に延在するように示され、示されている。しかしながら、他のノッチ構成が想到されることを認識されたい。例えば、遠位部分８０の各々は、ノッチが凹部として構成されるように、下部表面６０とショルダ部分７０のうちの１つとの間に部分的にのみ延在する代替的なノッチ（図示せず）を画定してもよい。ノッチ８２が互いに類似しているものとして説明されているが、代替的に、ノッチは互いに異なって構成され得ることも認識されたい。
【００３４】
後壁４８の中央部分７８に位置する後方内部表面５４は、上部表面６６（図６）まで、ショルダ部分７０の間に延在してもよく、リップ表面７６から離間されていてもよい（図６）。図６に示されるように、後方内部表面５４は、平面Ｐ４に沿って延在し得る。一実施形態では、平面Ｐ４は、剃毛平面Ｐ１に対して実質的に垂直であり得る。
【００３５】
ここで図７を参照すると、前壁４６は、それぞれの前方角部８４において側壁５０の各々と交差するように示され、後壁４８は、それぞれの後方角部８６において側壁５０の各々と交差するように示されている。ハンドル１４の旋回ヘッド３４がハンドルレセプタクル２４の中に導入されるか、又はハンドルレセプタクルから取り外されたとき、前方角部８４の各々は、前壁４６及び側壁５０の隣接する部分に対して選択的に屈曲するように構成されてもよく、後方角部８６の各々は、後壁４８及び側壁５０の隣接する部分に対して選択的に屈曲するように構成されてもよい。このような屈曲を促進するために、前方角部８４の各々は、前壁４６及び側壁５０の隣接する部分の慣性モーメントよりも小さい慣性モーメントを有することができ、後方角部８６の各々は、後壁４８及び側壁５０の隣接する部分の慣性モーメントよりも小さい慣性モーメントを有することができる。一実施形態では、前方角部８４及び後方角部８６の各々は、約２ｍｍ4未満の慣性モーメントを有し得る。前方角部８４及び後方角部８６の屈曲性がより高度であることにより、前方角部８４及び後方角部８６は、剃毛システム１０が落下されたときなど、カートリッジ１２が相当な衝撃を受けたときのための脆弱エリアとして効果的に機能することが可能となり得ることを認識されたい。具体的には、前方角部８４及び後方角部８６は、カートリッジ１２が相当な衝撃を受けたときに最初に破断して、刃支持部分２６が破断すること及びかみそり刃２８がカートリッジ１２から分離することを防止するように構成され得る。前方角部８４及び後方角部８６の各々は、より高度な柔軟性を有するものとして記述されているが、前方角部８４及び後方角部８６の任意の数量（例えば、１つ、２つ、又は３つ）及び／又は組み合わせがより高度な柔軟性を有することも想到されることを認識されたい。
【００３６】
ここで図４及び図６を参照するが、ハンドルレセプタクル２４の全体的な形状が、上記の様々な構成要素に関してこれから論じられることになる。前壁４６の前方内部表面５２及び後壁４８の中央部分７８の後方内部表面５４は、ハンドルレセプタクル２４がショルダ部分７０の下方で概ね漏斗形状をなすように、上部開口部６８に向かって内向きに先細となっていてもよい。具体的には、前方内部表面５２と後壁４８の中央部分７８の後方内部表面５４は、平面Ｐ３、Ｐ４が夾角α１（１８０度未満である任意の角度）で交差してハンドルレセプタクル２４の漏斗形状を画定するように、互いに対して角度をなしていてもよい。一実施形態では、夾角α１は、約３０度〜７０度、好ましくは約４５度〜約４８度であり得る。夾角α１は、下部開口部６４を通じて旋回ヘッド３４を導入するための直感的な経路を設けるために、上部開口部６８の方向にハンドルレセプタクル２４の幅を狭める角度で前壁４６及び後壁４８を設け得るものであり、旋回ヘッド３４をハンドルレセプタクル２４内で完全導入位置へと案内し得るものである。
【００３７】
一実施形態では、前壁４６の前方内部表面５２及び後壁４８の中央部分７８の後方内部表面５４は概ね平面であり、それにより、前壁４６の前方内部表面５２及び後壁４８の中央部分７８の後方内部表面５４が、それぞれ前方平面Ｐ３及び後方平面Ｐ４内に実質的に完全に存在するようになっていてもよい。しかしながら、例えば、少なくとも１つの起伏のあるエリアを有する表面など、代替的な非平面的表面も想到されることを認識されたい。これらの非平面的な表面に関して、平面内に延在するという用語は、表面が平面内に存在する少なくとも２つの点を有することを意味すると理解され得る。また、後壁４８の中央部分７８の後方内部表面５４について論じられているが、後方内部表面５４の任意の他の部分もまた、ハンドルレセプタクル２４の漏斗形状を画定するものとして想到されることも認識されたい。
【００３８】
ハンドルレセプタクル２４の漏斗形状は、結果として、ハンドルレセプタクル２４の断面表面エリアを、上部開口部６８の近傍よりも下部開口部６４の近傍においてより大きくすることになり得る。例えば、図８に示されるように、上部断面エリアＡ１は、前方内部表面５２、後方内部表面５４、及び上部開口部６８に近接した側方内部表面５６の各々によって画定され得る。図９に示されるように、下部断面エリアＡ２は、前方内部表面５２、後方内部表面５４、及び下部開口部６４における側方内部表面５６の各々によって画定され得る。上部断面エリアＡ１は、下部断面エリアＡ２よりも上部開口部６８に近接していてもよい。一実施形態では、上部断面エリアＡ１は、剃毛平面Ｐ１から約１ｍｍの垂直距離を置いて取られ得る。図１０に示されるように、中間断面エリアＡ３が、前方内部表面５２、後方内部表面５４、及び側方内部表面５６の各々によって画定されてよく、上部断面エリアＡ１と下部断面エリアＡ２との間に配設されてもよい。下部断面エリアＡ２は、上部断面エリアＡ１よりも大きくてもよい。中間断面エリアＡ３は、下部断面エリアＡ２よりも小さく、かつ上部断面エリアＡ１よりも大きくてもよい。一実施形態では、下部断面エリアＡ１は約６０ｍｍ2〜約２５０ｍｍ2、好ましくは約１５５ｍｍ2であってよく、上部断面エリアＡ２は約４０ｍｍ2〜約１２０ｍｍ2、好ましくは約８０ｍｍ2であってよい。上部断面エリアＡ１は、前方内部表面５２、後方内部表面５４、及び剃毛平面Ｐ１に対して平行な断面において取られる側方内部表面５６の各々によって画定され得る最小の断面エリアを意味すると理解され得ることを認識されたい。また、下部断面エリアＡ２は、前方内部表面５２、後方内部表面５４、及び剃毛平面Ｐ１に対して平行な断面において取られる側方内部表面５６の各々によって画定され得る最大の断面エリアを意味すると理解され得ることを認識されたい。
【００３９】
再び図３及び図４を参照するが、ハンドルインターフェース部分２２は、ハンドルレセプタクル２４内のハンドル１４の旋回ヘッド３４（図１）の選択的保持を促進するように構成されたロック部材８８を含み得る。ロック部材８８は、中央部材９０と、一対の支持アーム９２と、偏向部材９４と、を備え得る。中央部材９０及び支持アーム９２の各々は、後壁４８の中央部分７８に連結されてもよく、後壁４８から延在してもよい。偏向部材９４は、一対の遠位部材９６と、遠位部材９６の間に介挿される中央部分９８と、を備え得る。中央部材９０は中央部分９８に連結されてもよく、遠位部材９６の各々は、支持アーム９２のうちの１つに連結されてもよい。
【００４０】
ここで図６を参照すると、中央部材９０及び支持アーム９２の各々は、偏向部材９４が前壁４６と後壁４８の後方内部表面５４の平面Ｐ４との間に介挿されるように、後壁４８から延在していてもよい。ロック部材８８はしたがって、ロック部材８８が後壁４８の上に張り出すように、後壁４８の中央部分７８の後方内部表面５４から前壁４６に向かって延在し得る。一実施形態では、ロック部材８８は、後壁４８の中央部分７８における後方内部表面５４から前壁４６に向かって、約１ｍｍ〜３ｍｍの間、好ましくは約１．５ｍｍ〜２．５ｍｍの間である水平距離Ｄ５だけ延出し得る。以下で更に詳細に説明されるように、ハンドル１４の旋回ヘッド３４（図１）がハンドルレセプタクル２４の中に挿入されるとき、ロック部材８８は、旋回ヘッド３４と係合して、ハンドルレセプタクル２４内における旋回ヘッド３４の保持を促進し得る。
【００４１】
中央部材９０と、支持アーム９２と、上部表面１００と、下部表面６０とが協働して、後壁４８と偏向部材９４との間に延在する一対のスロット１０２（図４及び図５）を画定するように、偏向部材９４は、後壁４８の下部表面６０から離間された上部表面１００（図５及び図６）を含み得る。一実施形態では、偏向部材９４の上部表面１００と後壁４８の中央部分７８における後方内部表面５４（例えば平面Ｐ４）は、互いに対して９０度未満、より好ましくは約７５度〜８５度の角度α２の角度をなしていてもよい。
【００４２】
本明細書に記載されるカートリッジ１２は、本明細書と同時に出願され、参照により本明細書に組み込まれる、同一所有者のものであり同時係属中である米国特許出願（代理人整理番号１５１４０Ｐ、１５１４１Ｐ、１５１４２Ｐ、１５１４３Ｐ、１５１４４Ｐ、１５１４５Ｐ、１５１４６Ｐ、１５１４７Ｐ、及び１５１６０Ｐ）に開示されているカートリッジの様々な実施形態の１つ以上の特徴部を追加的又は代替的に含み得る。
【００４３】
ここで図１１〜図１６を参照するが、ハンドル１４の構成についてこれから論じられることになる。ハンドル１４の旋回ヘッド３４は、ハンドル１４とカートリッジ１２との解放可能な取り付けを容易にするために、ハンドルレセプタクル２４（図１）に挿入されるように構成され得る。ここで図１１を参照すると、旋回ヘッド３４は、上端部１０４と下端部１０６との間に延在し得る。旋回ヘッド３４は、ベース部材１０８と、ベース部材１０８に連結されたカバー部材１１０と、を備え得る。ハンドル１４は一対のアーム１１２を備え得るが、これらのアームはそれぞれ互いに離間されており、本体３２から旋回ヘッド３４の下端部１０６へと延在する。アーム１１２の各々は、ハンドル１４の本体３２と堅固に連結され得る。
【００４４】
アーム１１２の各々は、ピン部材１１３（図１４及び図３４にも示される）を備え得る。ピン部材１１３の各々は、旋回ヘッド３４がピン部材１１３によって規定される旋回軸Ａ１を中心として旋回可能となるように、ベース部材１０８と旋回式に連結され得る。ハンドル１４の本体３２に対する旋回ヘッド３４の付勢を促進するために、ばね（例えば、図３４の１５６）が旋回ヘッド３４及び本体３２の各々と動作可能に連結され得る。ハンドル１４は、旋回ヘッド３４に対して１つ以上の旋回運動を提供し得ることを認識されたい。図１１に示される実施形態では、旋回軸Ａ１は、ハンドル１４に対して概ね横行し得る。ハンドル１４は一対のアーム１１２を含むように示されているが、ハンドルは、１つのアーム又は３つ以上のアームなどの任意の他の数のアームを設けられてもよいことを認識されたい。
【００４５】
ここで図１２を参照すると、ベース部材１０８は、前壁１１４と、後壁１１６と、前壁１１４及び後壁１１６から上向きに延在するヘッド部分１１８と、を含み得るが、これにより、前壁１１４と、後壁１１６と、ヘッド部分１１８とが協働して台形プリズム形状を画定する。前壁１１４は、前方外部表面１２０と、前方外部表面１２０から後壁１１６に向かって延在する一対の側方外部表面１２２（一方が図示）と、を含み得る。後壁１１６は、後方外部表面１２４と、後方外部表面１２４から前壁１１４に向かって延在する一対の側方外部表面１２６（一方が図示）と、を含み得る。前壁１１４と後壁１１６は、互いに対して角度をなし、互いに協働して、側方外部表面１２２、１２６において一対のＶ字形溝１２８（一方が図示）を画定している。図１１及び図１２に示されるように、アーム１１２は、Ｖ字形溝１２８に沿って延在してもよく、旋回ヘッド３４が旋回されるときにＶ字形溝１２８内で移動するように構成され得る。
【００４６】
ヘッド部分１１８は、一対のアパーチャ１３２を画定するフェース表面１３０を備え得る。アパーチャ１３２は、例えばシェービングクリーム又はシェービングローションなどの剃毛流体の分配を容易にする流体分配システムと流体連通し得る。図１１に示されるように、流体分配システムは、リザーバ１３６と、分配ボタン１３８と、流体送達部材１４０と、を備え得る。リザーバ１３６は、ヘッド部分１１８のアパーチャ１３２（図１２）と流体連通し得る流体送達部材１４０と流体連通し得る。分配ボタン１３８は、リザーバ１３６と流体送達部材１４０との間に流体的に介挿されてもよく、リザーバ１３６内に貯蔵された剃毛流体をアパーチャ１３２（図１２）を通して選択的に分配するのを容易にするように構成されてもよい。具体的には、ユーザは、剃毛流体をユーザの皮膚に分配するために剃毛の間に分配ボタン１３８を押すことができる。
【００４７】
剃毛流体は、非水溶性ポリマーと、皮膚潤滑性の水溶性ポリマーと、を含んでもよい。使用され得る好適な非水溶性ポリマーとして、ポリエチレン、ポリプロピレン、ポリスチレン、ブタジエン−スチレンコポリマー（例えば、中耐衝撃性ポリスチレン及び高耐衝撃性ポリスチレン）、ポリアセタール、アクリロニトリル−ブタジエン−スチレンコポリマー、エチレン酢酸ビニルコポリマー、ポリプロピレン／ポリスチレンブレンドなどのブレンドが挙げられるが、これらに限定されず、Ｍｏｂｉｌ４３２４（Ｍｏｂｉｌ  Ｃｏｒｐｏｒａｔｉｏｎ）などの高耐衝撃性ポリスチレン（すなわち、ポリスチレン−ブタジエン）を有してもよい。好適な皮膚潤滑性水溶性ポリマーとしては、ポリエチレンオキシド、ポリビニルピロリドン、ポリアクリルアミド、ヒドロキシプロピルセルロース、ポリビニルイミダゾリン、及びポリヒドロキシエチルメタクリレートを挙げることができる。他の水溶性ポリマーとしては、一般にＰＯＬＹＯＸ（Ｕｎｉｏｎ  Ｃａｒｂｉｄｅ  Ｃｏｒｐｏｒａｔｉｏｎから入手可能）又はＡＬＫＯＸ（明成化学工業株式会社（京都、日本）から入手可能）として知られるポリエチレンオキシドを挙げることができる。これらのポリエチレンオキシドは、約１０万〜６００万、例えば、約３０万〜５００万の分子量を有してもよい。ポリエチレンオキシドは、約５００万の平均分子量を有する、約４０〜８０％のポリエチレンオキシド（例えば、ＰＯＬＹＯＸ  ＣＯＡＧＵＬＡＮＴ）と、約３０万の平均分子量を有する約６０〜２０％のポリエチレンオキシド（例えば、ＰＯＬＹＯＸ  ＷＳＲ−Ｎ−７５０）と、のブレンドを含んでよい。ポリエチレンオキシドブレンドはまた、ＰＥＧ−１００などの低分子量（すなわち、１０，０００未満の分子量）のポリエチレングリコールを最大約１０重量％まで含有してもよい。
【００４８】
剃毛流体はまた、シクロデキストリン（cylcodextrin）、ポリエチレングリコールなどの低分子量の水溶性放出促進剤（例えば、１〜１０重量％）、架橋ポリアクリル酸などの水膨潤性放出促進剤（例えば、２〜７重量％）、着色剤、酸化防止剤、防腐剤、殺菌剤、ひげ軟化剤、収れん剤、除毛剤、薬剤、コンディショニング剤、保湿剤、冷却剤などと、皮膚鎮静剤との複合体を含んでもよい。
【００４９】
ここで図１３を参照するが、ヘッド部分１１８は、前壁１１４及び後壁１１６とフェース表面１３０との間に延在する外部リップ表面１４６を備え得る。前壁１１４とヘッド部分１１８は、前方外部表面１２０と外部リップ表面１４６が共平面をなさないように、互いに対して角度をなしてもよい。具体的には、外部リップ表面１４６は、平面Ｐ５に沿って延在し得、前壁１１４の前方外部表面１２０は、平面Ｐ５と共平面をなさない平面Ｐ６に沿って延在し得る。外部リップ表面１４６及び前方外部表面１２０の各々は、外部リップ表面１４６及び前方外部表面１２０が平面Ｐ６内に実質的に完全に存在するように、概ね平面的であり得る。しかしながら、例えば、少なくとも１つの起伏のあるエリアを有する表面など、代替的な非平面的表面も想到されることを認識されたい。前方外部表面１２０と外部リップ表面１４６の角度は一般に、ハンドルレセプタクル２４への旋回ヘッド３４の適切な挿入を可能にするように、カートリッジ１２の前壁４６と前方リップ部７４との間の角度（例えば、図６に示される平面Ｐ２と平面Ｐ３との間の角度）に対応し得る。
【００５０】
ヘッド部分１１８は、約０．５ｍｍ〜約２ｍｍ、好ましくは約０．９ｍｍ〜約１．０ｍｍであり得る垂直高さＨ３を有し得る。垂直寸法（例えば、ハンドル１４上の高さ又は距離）は、旋回ヘッド３４がカートリッジ１２に導入されているときに、剃毛平面Ｐ１に対して垂直な方向に寸法が測定されることを意味すると理解され得ることを認識されたい。前壁１１４は、約１．５ｍｍ〜約５ｍｍ、好ましくは約３．１ｍｍであり得る垂直高さＨ４を有し得る。後壁１１６は、約５．５ｍｍ〜約１２ｍｍ、好ましくは約７ｍｍ〜約９ｍｍであり得る垂直高さＨ５を有し得る。
【００５１】
依然として図１３を参照するが、後壁１１６の中央部分１４８の後方外部表面１２４は、平面Ｐ７に沿って延在し得る。後壁１１６の中央部分１４８の後方外部表面１２４は、後壁１１６の中央部分１４８の後方外部表面１２４が平面Ｐ７内に実質的に完全に存在するように、概ね平面であり得る。しかしながら、例えば、少なくとも１つの起伏のあるエリアを有する表面など、代替的な非平面的表面も想到されることを認識されたい。
【００５２】
ここで図１４及び図１５を参照するが、後壁１１６は、中央部分１４８と、中央部分１４８の両端に配設された一対のタブ部材１５０と、を含み得る。タブ部材１５０は、中央部分１４８に対して長手方向に（例えば後向きに）タブ部材１５０が突出するように、中央部分１４８より厚くてもよい。例えば、図１５に示されるように、中央部分１４８は厚さＴ３を有し得、タブ部材１５０の各々は、中央部分１４８の厚さＴ３よりも厚い厚さＴ４を有し得る。厚さＴ４と厚さＴ３との比は、約３：１〜約３：２であり得る。一実施形態では、厚さＴ４は、約０．７５ｍｍ〜約３ｍｍ、好ましくは約０．９ｍｍ〜約１．０ｍｍであり得、厚さＴ３は、約０．５ｍｍ〜約１ｍｍ、好ましくは約０．８ｍｍ〜約０．９ｍｍであり得る。
【００５３】
タブ部材１５０は、図１４では、旋回ヘッド３４の下端部１０６とヘッド部分１１８との間に実質的に完全に延在するものとして示されている。しかしながら、他のタブ部材の構成も想到されることを認識されたい。例えば、タブ部材は、旋回ヘッド３４の下端部１０６とヘッド部分１１８との間に部分的にのみ延在してもよく、これにより、タブ部材は、旋回ヘッド３４の下端部１０６及びヘッド部分１１８のうちの１つ以上から離間される。タブ部材１５０が互いに類似しているものとして説明されているが、タブ部材は、代替的に互いに異なって構成され得ることも認識されたい。
【００５４】
ここで図１６を参照すると、ヘッド部分１１８は、旋回ヘッド３４に沿って横方向に延びる長さＬ３を有し得る。ヘッド部分１１８はまた、旋回ヘッド３４に沿って長手方向に延びる幅Ｗ３を有し得る。ヘッド部分１１８の長さＬ３及び幅Ｗ３は、旋回ヘッド３４がハンドルレセプタクル２４に導入されたときにヘッド部分１１８が上部開口部６８内に嵌合することを可能にするために、上部開口部６８の長さＬ２及び幅Ｗ２（図５）よりもわずかに小さくなっていてもよい。
【００５５】
更に図１６を参照すると、旋回ヘッド３４は、それぞれが前壁１１４と後壁１１６とヘッド部分１１８との間で横方向に延在し、それぞれがヘッド部分１１８の両側部に配設される一対のショルダ部分１５２を備え得る。各ショルダ部分１５２は、前方外部表面１２０、側方外部表面１２２、後方外部表面１２４、側方外部表面１２６、及び外部リップ表面１４６の各々の一部分と境界をなすショルダ表面１５４を備える。
【００５６】
ここで図１２、図１３及び図１６を参照するが、旋回ヘッド３４の全体的な形状についてこれから論じられることになる。図１２及び図１３に示されるように、前壁１１４の前方外部表面１２０及び後壁１１６の中央部分１４８の後方外部表面１２４は、旋回ヘッド３４がショルダ部分１５２の下方で概ね漏斗形状をなすように、ヘッド部分１１８に向かって内向きに先細となっていてもよい。具体的には、図１３に示されるように、前方外部表面１２０と後壁１１６の中央部分１４８の後方外部表面１２４は、平面Ｐ６、平面Ｐ７が夾角α３（１８０度未満である任意の角度）で交差して旋回ヘッド３４の漏斗形状を画定するように、互いに対して角度をなしていてもよい。一実施形態では、夾角α２は、約３０度〜７０度、好ましくは約４５度〜約４８度であり得る。ショルダ部分１５２の下方における旋回ヘッド３４の漏斗形状は、旋回ヘッド３４がハンドルレセプタクル２４内に挿入されるときに、旋回ヘッド３４がハンドルレセプタクル２４内にぴったりと嵌合するように、ハンドルレセプタクル２４の漏斗形状に対応し得る。
【００５７】
図１６に示されるように、旋回ヘッド３４は、横方向に延在し、前壁１１４及び後壁１１６によって規定される、下端部１０６における下部長さＬ４を有し得る。旋回ヘッド３４はまた、長手方向に延在し、前壁１１４及び後壁１１６によって規定される、下端部１０６における下部幅Ｗ４を有し得る。旋回ヘッド３４は、横方向に延在し、前壁１１４及び後壁１１６によって規定される、上端部１０４における上部長さＬ５を有し得る。旋回ヘッド３４はまた、長手方向に延在し、前壁１１４及び後壁１１６によって規定される、上端部１０４における上部幅Ｗ５を有し得る。
【００５８】
旋回ヘッド３４の下端部１０６は、概ね上端部１０４よりも大きくてもよい。具体的には、下端部１０６における旋回ヘッド３４の下部長さＬ４及び下部幅Ｗ４は、上端部１０４における旋回ヘッド３４の上部長さＬ５及び上部幅Ｗ５と比べて、それぞれ、より長く、より広くてよい。一実施形態では、下部長さＬ４は、約２５ｍｍ〜約５５ｍｍ、好ましくは約３５ｍｍであり得、下部幅Ｗ４は、約３ｍｍ〜約８ｍｍ、好ましくは約３．９ｍｍであり得る。一実施形態では、上部長さＬ５は、約２０ｍｍ〜約４０ｍｍ、好ましくは約３０ｍｍであり得、上部幅Ｗ５は、約１ｍｍ〜約６ｍｍ、好ましくは約３．４ｍｍであり得る。
【００５９】
ここで図１７〜図３２を参照するが、カートリッジ１２へのハンドル１４の連結を容易にするために、旋回ヘッド３４をハンドルレセプタクル２４に挿入するプロセスについてこれから論じられることになる。図１７に示されるように、ハンドル１４は、旋回ヘッド３４がハウジング２０の前端部１６に隣接する状態で、かつフェース表面１３０が剃毛平面Ｐ１に対して角度をなすように旋回ヘッド３４が下向きに傾斜された状態で配置され得る。一実施形態では、ハンドル１４の本体３２は、実質的に水平に（例えば、剃毛平面Ｐ１に対して実質的に平行に）載置されて、旋回ヘッド３４をそのような位置に設けることができる。図１８〜図２０に示されるように、ハンドル１４は次いで、ハンドルレセプタクル２４に近接してカートリッジ１２に向かって移動され得る。図６に関して上述されたように、前壁４６の垂直高さＨ１は、後壁４８の垂直高さＨ２よりも短くてもよい。したがって、前壁４６は、旋回ヘッド３４をカートリッジ１２の前からハンドルレセプタクル２４に挿入するのに十分なクリアランスを提供し得る。例えば、図２０に示されるように、旋回ヘッド３４は、カートリッジ１２（例えば、ロック部材８８）の残部から離間されたままで、前壁４６の上からハンドルレセプタクル２４の中へと進行し得る。
【００６０】
図２１〜図２３に示されるように、ハンドル１４は次いで、旋回ヘッド３４をハンドルレセプタクル２４（図２３）に更に挿入するために、カートリッジ１２に向かって更に移動され、わずかに上向きに旋回され得る。旋回ヘッド３４の前壁１１４及びヘッド部分１１８は、図２３においては、ハンドルレセプタクル２４の中への旋回ヘッド３４の案内を容易にするために、前壁４６に接触するように示されている。後壁１１６は、代替的に、旋回ヘッド３４のハンドルレセプタクル２４の中への誘導を容易にするために、ロッキング部材８８と接触し得ることを認識されたい。また、前壁１１４及び後壁１１６（図１６に示される）の側方外部表面１２２、１２６はそれぞれ、旋回ヘッド３４のハンドルレセプタクル２４の中への更なる誘導を容易にするために、追加的に側壁５０（図４）と接触し得ることも認識されたい。ハンドル１４が引き続きカートリッジ１２に向かって更に移動され、わずかに上向きに旋回されると、旋回ヘッド３４は、図２４〜図２６に示されるように、最終的に前壁４６及び後壁４８の各々と接触し得る。
【００６１】
図２７〜図２９に示されるように、（例えば、ハンドル１４をカートリッジ１２に向かって更に移動させ続けることによって、かつ／又はハンドル１４を更に上向きに旋回させることによって）旋回ヘッド３４が図２４〜図２６に示される位置からハンドルレセプタクル２４の中へと更に挿入されるとき、前壁４６及び後壁４８は偏向することができる。前壁４６及び後壁４８の偏向は、上述の前方角部８４及び後方角部８６（図７）の柔軟性によって促進され得る。前壁４６と後壁４８の両方が偏向するように示されているが、前壁４６又は後壁４８のうちの１つのみが偏向して、旋回ヘッド３４のハンドルレセプタクル２４への挿入を可能にしてもよいことを認識されたい。
【００６２】
図３０〜図３２に示されるように、旋回ヘッド３４がハンドルレセプタクル２４の中へと完全に導入されるまで、旋回ヘッド３４は（例えば、ハンドル１４を更にカートリッジ１２に向かって移動させ続けることによって、かつ／又はハンドル１４を更に上向きに旋回させることによって）ハンドルレセプタクル２４の中に更に挿入され得る。図３２に示されるように、旋回ヘッド３４がハンドルレセプタクル２４（図１７）の中に完全に導入されているとき、前壁４６及び後壁４８はもはや偏向されることはなく、ロック部材８８は後壁１１６及びカバー部材１１０の一部分の上に張り出している。ロック部材８８の角度α２（図６）は、ロッキング部材８８を旋回ヘッド３４に向かって効果的に角度付けし得る。ロック部材８８の上方に配設されたカバー部材１１０及び後壁１１６の各部分は、ロック部材８８の角度α２に対応する角度付きの形状を有し得る。ロック部材８８の角度α２は、ハンドル１４からカートリッジ１２を不注意で分離することを抑制することによって、ハンドルレセプタクル２４内の旋回ヘッド３４の固定を効果的に向上させ得る。トリマー組立体４０がユーザの皮膚を剃毛するために使用されるとき、ロック部材８８の角度α２はまた、カートリッジ１２に対する旋回ヘッド３４の効果的な保持を容易にし得る。
【００６３】
カートリッジ１２は、それ自体の中に旋回機構を含まないことを認識されたい。また、カートリッジ１２とハンドル１４との間のインターフェースはそれ自体では、旋回機構を含まない。しかしながら、カートリッジ１２が旋回ヘッド３４を介してハンドル１４に連結されると、旋回ヘッド３４及びカートリッジ１２は、互いに選択的にロックされ、それらが互いに対して旋回しないとき、旋回軸Ａ１を中心としてハンドル１４に対して一緒に旋回する（図１１）。
【００６４】
上述のハンドルレセプタクル２４の全体的な漏斗形状は、旋回ヘッド３４が完全に導入されたときにハンドルレセプタクル２４内に入れ子になるように、上述の旋回ヘッド３４の台形プリズム形状に対応し得る。例えば、図３２に示されるように、旋回ヘッド３４の前壁１１４及び後壁１１６は、カートリッジ１２の前壁４６及び後壁４８に対してそれぞれ着座され得る。加えて、図３０〜図３２には示されていないが、前壁１１４及び後壁１１６の側方外部表面１２２、１２６（図１６）はそれぞれ、側壁５０に当接して着座され得る。そのようにして旋回ヘッド３４をハンドルレセプタクル２４の中に入れ子にすることにより、カートリッジ１２に対する旋回ヘッド３４の固定が強化されて、剃毛中のそれらの間の望ましくない運動が阻止され得る。具体的には、ハンドルレセプタクル２４と旋回ヘッド３４との相対的な形状は、結果として、カートリッジ１２と旋回ヘッド３４との間に緊密な嵌合をもたらし得るが、これは、２つの構成要素の噛み合い表面において製造することが困難な小さな半径及び急な角部を実質的に排除することによって、カートリッジ１２と旋回ヘッド３４との間隙をより小さくすることになり得る。これらのより小さな間隙は、首又はわきの下など、毛又は他の剃毛細片が特に緊密な場所の周りで捕捉され得るエリアを防止することによって、剃毛中により快適な皮膚接触表面を提供する。
【００６５】
図３２を更に参照すると、旋回ヘッド３４のヘッド部分１１８は、ヘッド部分１１８が上部表面６６において露出され、かつ剃毛平面Ｐ１においてユーザの皮膚に露出されるように、上部開口部６８の中に少なくとも部分的に突出し得る。ユーザが剃毛システム１０を用いて剃毛するとき、ヘッド部分１１８は、ユーザの皮膚と接触して、アパーチャ１３２（図１２）から分配された任意の剃毛流体をかみそり刃２８の前でユーザの皮膚に分配し得る。ユーザがカートリッジ１２を皮膚全体にわたって引くと、剃毛流体はそれに応じて、かみそり刃２８によって剃毛される前に皮膚を潤滑し得る。したがって、剃毛システム１０は、旋回ヘッド３４のヘッド部分１１８を上部開口部６８（図５）を通じて延在させることによって、ユーザの皮膚に効果（例えば、潤滑性）を送達するように構成され得る。
【００６６】
一実施形態では、ヘッド部分１１８は、フェース表面１３０が上部表面６６から突出し、上部表面６６から垂直距離Ｄ６だけ離間されるように、上部開口部６８を通じて突出し得る。図３２に示される例では、垂直距離Ｄ６は、図６に関して上述された垂直距離Ｄ１と実質的に同等であってもよく、これにより、フェース表面１３０は剃毛平面Ｐ１に沿って延在する。このような構成では、垂直距離Ｄ６は、約０．２５ｍｍ〜約１ｍｍ、好ましくは約０．５ｍｍであり得る。しかしながら、垂直距離Ｄ６は、フェース表面１３０が剃毛平面Ｐ１の上方又は下方にそれぞれ配設されるように、垂直距離Ｄ１よりも大きいか又はそれ未満となるように選択され得る。別の実施形態では、旋回ヘッド３４のヘッド部分１１８は、フェース表面１３０が上部表面６６と実質的に面一となるように、上部開口部６８の中へと突出し得る。更に別の実施形態では、旋回ヘッド３４のヘッド部分１１８は、ヘッド部分１１８が上部開口部６８の中にくぼまされるように、上部開口部６８の中へと部分的に突出し得る。剃毛平面Ｐ１に対するフェース表面１３０の位置は、ショルダ表面７２と剃毛平面Ｐ１との間の相対距離Ｄ２（図６）、及びヘッド部分１１８の垂直高さＨ３（図１３）によって決定され得ることを認識されたい。
【００６７】
ここで図３３及び図３４を参照するが、旋回ヘッド３４がハンドルレセプタクル２４の中に完全に導入されているとき（図３０〜図３２に示されるように）、旋回ヘッド３４の後壁１１６は、旋回ヘッド３４のタブ部材１５０が後壁４８のノッチ８２のうちの対応する１つの中へと延在するように、カートリッジ１２の後壁４８に接して着座され得る。図３４に示されるように、タブ部材１５０はそれぞれ長さＬ６を規定し得、ピン部材１１３はそれぞれ、タブ部材１５０の長さＬ６よりも短い長さＬ７を規定し得る。ピン部材１１３は、距離Ｄ７だけ互いに離間され得る。後壁１１６の中央部分１４８は、横方向に延在し、距離Ｄ７より短い長さＬ８を有し得る。アーム１１２のピン部材１１３は、タブ部材１５０のうちの対応する１つの中に配設され得るが、これにより、ピン部材１１３は、後壁１１６の中央部分１４８において可能となるよりも、刃支持部分２６の更に近くに配置されることが可能となり得る。
【００６８】
ここで図３５を参照するが、ピン部材１１３によって規定される旋回軸Ａ１は、従来の配置よりも短くなり得る距離Ｄ８だけ、従来の配置によって達成される構造的一体性を犠牲にすることなく、最も近いかみそり刃２８から離間され得る。それに加えて、旋回軸Ａ１が最も近くの剃毛刃２８に比較的接近して位置することにより、カートリッジ１２は剃毛ストローク中に皮膚により緊密に追従することが可能となり、刃先端部にかかる圧力もより小さくなり、それによってよりスムーズで、より快適で、かつより効果的な剃毛が提供され得る。一実施形態では、距離Ｄ８は、約０．７ｍｍ〜約２．５ｍｍ、好ましくは約２．０ｍｍ、より好ましくは約１．５ｍｍであり得る。
【００６９】
剃毛中、ハンドル１４は、カートリッジ１２がユーザの皮膚の輪郭に従うことを可能にするために、図３５に示されるようなホーム位置と、図３６に示されるような完全旋回位置との間で、カートリッジ１２に対して旋回軸Ａ１を中心として旋回し得る。カートリッジ１２が旋回されると、アーム１１２は、Ｖ字形溝１２８内で移動して、旋回ヘッド３４を、したがってカートリッジ１２を、ホーム位置と完全旋回位置との間で旋回させることを可能にし得る。Ｖ字形溝１２８は、旋回ヘッド３４のホーム位置及び完全旋回位置の旋回限界を規定し得る。図３４に示されるようなばね１５６が、ベース部材１０８とカバー部材１１０（図１１）との間に配設されてもよく、本体３２へと延在する一対のアーム１５８（図３３）を備えてもよい。ばね１５６は、ユーザが剃毛システム１０を用いて剃毛するときに、ばね１５６がカートリッジ１２とユーザの皮膚との接触を維持し得るように、旋回ヘッド３４をホーム位置へと付勢し得る。旋回限界及び付勢は、機械的限界を含めて、当該技術分野において既知の任意の手段によって達成され得ることを認識されたい。
【００７０】
ここで図３５を参照するが、ハンドル１４は、後退位置（実線で示される）と延出位置（破線で示される）との間で摺動可能な排出ボタン１６０を備え得る。カートリッジ１２が旋回ヘッド３４に導入されるとき、ハンドル１４からのカートリッジ１２の排出を容易にするために、排出ボタン１６０は後退位置から延出位置へと摺動され得る。剃毛システム１０が剃毛のために使用されているとき、排出ボタン１６０は、後退位置へと付勢され得る。例えば、カートリッジ１２がその耐用年数の終わりに達したときなど、ユーザがハンドル１４からカートリッジ１２を排出することを望むとき、ユーザは、排出ボタン１６０を延出位置に向かって押し、ロック部材８８の偏向部材９４と接触させることができる。排出ボタン１６０が偏向部材９４と接触すると、旋回ヘッド３４がロック部材８８との係合から外れ、カートリッジ１２から取り外され得るまで、ユーザは、排出ボタン１６０を延出位置に向かって（例えば、図２７〜図２９に示される位置へと）更に押し込むことができる。
【００７１】
依然として図３５を参照するが、カートリッジ１２が、図３６に示されるように、完全旋回位置へと旋回されるとき、排出ボタン１６０とロック部材８８との間の干渉を防止するのに十分な距離Ｄ９だけ、排出ボタン１６０はロック部材８８から離間され得る。一実施形態では、距離Ｄ９は、約２．０ｍｍ〜約５．０ｍｍ、好ましくは約３．０ｍｍであり得る。
【００７２】
図３７及び図３８は、カートリッジ１０１２とハンドル１０１４とを備える剃毛システム１０１０の代替的な実施形態を示し、このカートリッジ及びハンドルはそれぞれ、図１〜図３６に示されるカートリッジ１２及びハンドル１４と多くの点で類似していても、あるいは同じであってもよい。例えば、カートリッジ１０１２は、複数のかみそり刃１０２８を備え得る。ハンドル１０１４は、本体１０３２と、本体１０３２と旋回式に連結された旋回ヘッド１０３４とを備え得る。旋回ヘッド１０３４は、図１〜図３６に関連して上述されたのと同様の様式でカートリッジ１０１２に解放可能に取り付けられるように構成され得る。旋回ヘッド１０３４は、ヘッド部分１１１８を備え得る。しかしながら、ヘッド部分１１１８は、加熱システム１１６４（図３７）と電気的に連通する加熱要素１１６２（図３８）を備え得る。加熱システム１１６４は、電力貯蔵デバイス１１６６と、電力貯蔵デバイス１１６６と電気通信する加熱コントローラ１１６８と、を備え得る。電源ボタン１１７０は、加熱要素１１６２及び加熱コントローラ１１６８と電気通信し得る。電源ボタン１１７０は、加熱要素１１６２の選択的通電を促進するように構成され得る。電源ボタン１１７０が起動される（例えば、押下される）と、電力貯蔵デバイス１１６６から加熱要素１１６２に電力が送達されて、加熱要素１１６２から熱が生成され得る。加熱コントローラ１１６８は、電力貯蔵デバイス１１６６から加熱要素１１６２への電力の流れを調整して、加熱要素１１６２によって生成される熱量を調整し得る。一実施形態では、電力貯蔵デバイス１１６６は、電源コードを用いて、又は誘導充電を介して再充電され得る充電式電池を備え得る。別の実施形態では、電力貯蔵デバイス１１６６は、使い捨て電池を含み得る。
【００７３】
ユーザが剃毛システム１０１０を用いて剃毛し、加熱要素１１６２が熱を生成している（例えば、電源ボタン１１７０が起動されている）とき、ヘッド部分１１１８はユーザの皮膚と接触して、かみそり刃１０２８の前方のユーザの皮膚を加熱し得る。ユーザがカートリッジ１０１２を皮膚全体にわたって引くと、かみそり刃１０２８によって剃毛される前に、熱によって皮膚が軟化され得る。特定の実施形態では、加熱要素１１６２は、アルミニウム又はステンレス鋼などの金属を含み得る。特定の実施形態では、加熱要素１１６２は、金属又は相変化材料などの高容量材料を含んでもよい。特定の実施形態では、加熱要素１１６２は、銅、アルミニウムなどの高熱伝導性材料、又はＣｏｏｌＰｏｌｙ（商標記号）などの熱伝導性プラスチックを含み得る。旋回ヘッド１０３４は、ユーザの皮膚を選択的に加熱するものとして説明されているが、旋回ヘッド１０３４は、ユーザの皮膚の選択的冷却を促進するように追加的に又は代替的に構成され得ることを認識されたい。いくつかの実施形態では、旋回ヘッド１０３４によって果たされる加熱又は冷却はまた、旋回ヘッド１０３４を、周囲とは異なる温度の水に浸漬するかあるいは水の中で稼働させることなどによって、受動的に達成され得る。
【００７４】
ここで図３９を参照するが、カートリッジ１０２１について更に詳細に説明されることになる。カートリッジ１０１２は、図１〜図３６に示されるカートリッジ１２と同様であっても、又は多くの点で同じであってもよい。例えば、カートリッジ１０１２は、下部開口部１０６４及び上部開口部１０６８を部分的に画定する後壁１０４８を備え得る。しかしながら、カートリッジ１０１２は、一対のロック部材１０８８を備え得るが、ロック部材は、互いに離間されており、下部開口部１０６４と上部開口部１０６８との中間付近で後壁１０４８から延在する。
【００７５】
ハンドル（例えば、１４、１０１４）から消費者効果（例えば、ローション、加熱、冷却）を提供することは、安全な製品の設計と良好な製品保全性（例えば、偶発的な落下の場合）とのバランスを調整すること、剃毛ストロークが皮膚を緊密に追跡するのに必要な旋回軸の周りでハンドル（例えば、１４、１０１４）からフェース表面（例えば、１３０）へと効果を送達すること、並びに、アーム（例えば、１１２）及び排出ボタン（例えば、１６０）などのハンドル（例えば、１４、１０１４）の他の機能的構成要素の中でも、とりわけ送達効果構成要素を適合させること、という難題を解決することを理解されたい。効果送達要素のうちの、ほとんどではなくとも多くをハンドル（例えば、１４、１０１４）内に配設することにより、ハンドルは、市場に一般に見られるほとんどの湿式剃毛かみそりシステムの２倍〜３倍以上の重量を有し得るため、良好な製品保全性を伴って安全な製品を設計することは難題である。例えば、ほとんどの従来型の剃毛かみそりハンドルは５６グラム未満の重量を有し、大多数は４５グラム未満の重量を有する。本開示のハンドル（例えば、１４、１０１４）は、好ましい質量を約８０グラムとして、最大で約１２０グラムの質量を有し得る。いくつかの実施形態では、ハンドル（例えば、１４、１０１４）は、約５７グラム〜約１５０グラム、より好ましくは約８０グラムの質量を有し得る。このような質量は、本開示において「重い」と見なされる。図１及び図１１〜図１６に示されるハンドル１４は約７５グラムの質量を有し得るが、図３７及び図３８に示されるハンドル１０１４は約８５グラムの質量を有する。
【００７６】
組み合わせ
具体的な実施例を以下に提示する。
Ａ．
前端部と後端部との間に延在するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁と、
下部表面と内部表面とを備える後壁と、
上部開口部を画定する上部表面と、を備えるハンドルインターフェース部分と、を備えるハウジングと、
キャップとガードとの間の刃支持部分内に配設された少なくとも１つのかみそり刃と、を備え、
下部表面は下部開口部を画定するように協働し、
前壁と後壁は、内部表面が協働して、下部開口部と上部開口部との間に延在するハンドルレセプタクルを少なくとも部分的に画定するように、互いに離間されており、
上部開口部は、下部開口部よりも剃毛平面に近接しており、
後壁は、前壁よりも刃支持部分に近接しており、
下部断面エリアが、下部開口部に近接した内部表面によって少なくとも部分的に画定されており、
上部断面エリアが、上部開口部に近接した内部表面によって少なくとも部分的に画定されており、
上部断面エリアは、下部開口部よりも上部開口部に近接しており、
上部断面エリア及び下部断面エリアの各々は、剃毛平面に対して平行な断面において取られ、
下部断面エリアは、上部断面エリアよりも大きい、剃毛かみそりカートリッジ。
Ｂ．下部断面エリアが約６０ｍｍ2〜約２５０ｍｍ2であり、上部断面エリアが約４０ｍｍ2〜約１２０ｍｍ2である、段落Ｂに記載の剃毛かみそりカートリッジ。
Ｃ．下部断面エリアが約１１８ｍｍ2であり、上部断面エリアが約８０ｍｍ2である、段落Ｂに記載の剃毛かみそりカートリッジ。
Ｄ．ハンドルインターフェース部分は、下部表面と内部表面とを備える第１の側壁と、下部表面と内部表面とを備える第２の側壁と、を更に備え、
第１の側壁と第２の側壁は互いに離間されており、前壁と後壁との間に延在して、前壁、後壁、第１の側壁、及び第２の側壁が協働してハンドルレセプタクルを画定するようになっており、
中間断面エリアが、上部開口部と下部開口部との間にハンドルレセプタクルによって画定され、剃毛平面に対して平行な断面で取られ、
中間断面エリアは、下部断面エリアよりも小さく、上部断面エリアよりも大きい、段落Ａに記載の剃毛かみそりカートリッジ。
Ｅ．中間断面エリアは、下部断面エリアと上部断面エリアとの中間付近に配設される、段落Ｄに記載の剃毛かみそりカートリッジ。
Ｆ．上部断面エリアは、内部表面によって規定される最小断面エリアであり、下部断面エリアは、内部表面によって規定される最大断面エリアである、段落Ａに記載の剃毛かみそりカートリッジ。
Ｇ．上部断面エリアは、剃毛平面から約１ｍｍの垂直距離で取られる、段落Ａに記載の剃毛かみそりカートリッジ。
Ｈ．
少なくとも１つのかみそり刃は、刃支持部分の両側部の間に横方向に延在し、
上部開口部は、ハンドルインターフェース部分に沿って横方向に延在する第１の長さを有し、
下部開口部は、ハンドルインターフェース部分に沿って横方向に延在する第２の長さを有し、
第１の長さは第２の長さよりも長い、段落Ａに記載の剃毛かみそりカートリッジ。
Ｉ．第１の長さは約２９ｍｍ〜約３９ｍｍであり、第２の長さは約２６ｍｍ〜約３６ｍｍである、段落Ｈに記載の剃毛かみそりカートリッジ。
Ｊ．
少なくとも１つのかみそり刃は、刃支持部分の両側部の間に横方向に延在し、
下部開口部は、ハンドルインターフェース部分に沿って長手方向に延在する第１の幅を有し、
上部開口部は、ハンドルインターフェース部分に沿って長手方向に延在する第２の幅を有し、
第１の幅は第２の幅よりも広い、段落Ａに記載の剃毛かみそりカートリッジ。
Ｋ．第１の幅は約３ｍｍ〜約８ｍｍであり、第２の幅は約１．５ｍｍ〜約５ｍｍである、段落Ｊに記載の剃毛かみそりカートリッジ。
Ｌ．第１の幅は約６．５ｍｍであり、第２の幅は約３．６ｍｍである、段落Ｋに記載の剃毛かみそりカートリッジ。
Ｍ．前壁及び後壁のそれぞれの内部表面は、上部開口部に向かって内向きに先細になっている、段落Ａに記載の剃毛かみそりカートリッジ。
Ｎ．
ハンドルインターフェース部分は、下部表面と内部表面とを備える第１の側壁を更に備え、
ハンドルインターフェース部分は、下部表面と内部表面とを備える第２の側壁を更に備え、
第１の側壁と第２の側壁は互いに離間されており、前壁と後壁との間に延在して、前壁、後壁、第１の側壁、及び第２の側壁が協働してハンドルレセプタクルを画定するようになっており、
第１の側壁及び第２の側壁のそれぞれの内部表面は、上部開口部に向かって内向きに先細になっている、段落Ｍに記載の剃毛かみそりカートリッジ。
Ｏ．
前端部と後端部との間に延在するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁であって、内部表面は前方平面に沿って延在する前壁と、
下部表面と内部表面とを備える後壁であって、内部表面は後方平面に沿って延在する後壁と、を備えるハンドルインターフェース部分と、を備えるハウジングと、
キャップとガードとの間の刃支持部分内に配設された少なくとも１つのかみそり刃と、を備え、
下部表面は下部開口部を画定するように協働し、
前壁と後壁は、内部表面が協働して、下部開口部へと延在するハンドルレセプタクルを少なくとも部分的に画定するように、互いに離間されており、
後壁は、前壁よりも刃支持部分に近接しており、
前方平面と後方平面は、ある夾角をなして交差する、剃毛かみそりカートリッジ。
Ｐ．前壁は第１の高さを有し、後壁は第２の高さを有し、第１の高さは第２の高さよりも低い、段落Ｏに記載の剃毛かみそりカートリッジ。
Ｑ．第１の高さは約１．５ｍｍ〜約７．５ｍｍであり、第２の高さは約７．５ｍｍ〜約１２ｍｍである、段落Ｐに記載の剃毛かみそりカートリッジ。
Ｒ．
ハンドルインターフェース部分は、上部開口部を画定する上部表面を備え、
ハンドルレセプタクルは、下部開口部と上部開口部との間に延在し、
上部開口部は、下部開口部よりも剃毛平面に近接している、段落Ｏに記載の剃毛かみそりカートリッジ。
Ｓ．
少なくとも１つのかみそり刃は、刃支持部分の両側部の間に横方向に延在し、
上部開口部は、ハンドルインターフェース部分に沿って横方向に延在する第１の長さを有し、
下部開口部は、ハンドルインターフェース部分に沿って横方向に延在する第２の長さを有し、
第１の長さは第２の長さよりも長い、段落Ｒに記載の剃毛かみそりカートリッジ。
Ｔ．第１の長さは約２９ｍｍ〜約３９ｍｍであり、第２の長さは約２６ｍｍ〜約３６ｍｍである、段落Ｓに記載の剃毛かみそりカートリッジ。
Ｕ．夾角は約３０度〜約７０度である、段落Ｏに記載の剃毛かみそりカートリッジ。
Ｖ．夾角は約４５度〜約４８度である、段落Ｕに記載の剃毛かみそりカートリッジ。
Ｗ．上部表面は、剃毛平面からのある垂直距離内にある、段落Ｒに記載の剃毛かみそりカートリッジ。
Ｘ．上部表面は、剃毛平面と下部表面との間に配設されている、段落Ｗに記載の剃毛かみそりカートリッジ。
Ｙ．垂直距離は１ｍｍ未満である、段落Ｘに記載の剃毛かみそりカートリッジ。
Ｚ．前方平面は、剃毛平面に対して実質的に垂直である、段落Ｏに記載の剃毛かみそりカートリッジ。
ＡＢ．前壁及び後壁の各々の内部表面は概ね平面である、段落Ｚに記載の剃毛かみそりカートリッジ。
ＡＣ．少なくとも１つのかみそり刃は、刃支持部分の両側部の間に横方向に延在し、
下部開口部は、ハンドルインターフェース部分に沿って長手方向に延在する第１の幅を有し、
上部開口部は、ハンドルインターフェース部分に沿って長手方向に延在する第２の幅を有し、
第１の幅は第２の幅よりも広い、段落Ｒに記載の剃毛かみそりカートリッジ。
ＡＤ．第１の幅は約３ｍｍ〜約８ｍｍであり、第２の幅は約１．５ｍｍ〜約５ｍｍである、段落Ｒに記載の剃毛かみそりカートリッジ。
ＡＥ．
前端部と後端部との間に延在するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁と、
下部表面と内部表面とを備える後壁と、
上部開口部を画定する上部表面と、を備えるハンドルインターフェース部分と、を備えるハウジングと、
キャップとガードとの間の刃支持部分内に配設された少なくとも１つのかみそり刃であって、刃支持部分の両側部の間に横方向に延在する、少なくとも１つのかみそり刃と、を備え、
下部表面は下部開口部を画定するように協働し、
前壁と後壁は、内部表面が協働して、上部開口部と下部開口部との間に延在するハンドルレセプタクルを少なくとも部分的に画定するように、互いに離間されており、
上部開口部は、下部開口部よりも剃毛平面に近接しており、
下部開口部は、ハンドルインターフェース部分に沿って横方向に延在する第１の長さを有し、
上部開口部は、ハンドルインターフェース部分に沿って横方向に延在する第２の長さを有し、
第１の長さは第２の長さよりも長い、剃毛かみそりカートリッジ。
ＡＦ．第１の長さは約２９ｍｍ〜約３９ｍｍであり、第２の長さは約２６ｍｍ〜約３６ｍｍである、段落ＡＥに記載の剃毛かみそりカートリッジ。
ＡＧ．前壁及び後壁のそれぞれの内部表面は、上部開口部に向かって内向きに先細になっている、段落ＡＥに記載の剃毛かみそりカートリッジ。
ＡＨ．ハンドルインターフェース部分は、下部表面と内部表面とを備える第１の側壁と、下部表面と内部表面とを備える第２の側壁と、を更に備え、
第１の側壁と第２の側壁は互いに離間されており、前壁と後壁との間に延在して、前壁、後壁、第１の側壁、及び第２の側壁が協働してハンドルレセプタクルを画定するようになっており、
第１の側壁及び第２の側壁のそれぞれの内部表面は、上部開口部に向かって内向きに先細になっている、段落ＡＧに記載の剃毛かみそりカートリッジ。
ＡＩ．下部開口部は、ハンドルインターフェース部分に沿って長手方向に延在する第１の幅を有し、
上部開口部は、ハンドルインターフェース部分に沿って長手方向に延在する第２の幅を有し、
第１の幅は第２の幅よりも広い、段落ＡＥに記載の剃毛かみそりカートリッジ。
ＡＪ．第１の幅は約３ｍｍ〜約８ｍｍであり、第２の幅は約１．５ｍｍ〜約５ｍｍである、段落ＡＩに記載の剃毛かみそりカートリッジ。
ＡＫ．第１の幅は約６．５ｍｍであり、第２の幅は約３．６ｍｍである、段落ＡＪに記載の剃毛かみそりカートリッジ。
Ａｌ．上部表面は、剃毛平面から離間されている、段落ＡＥに記載の剃毛かみそりカートリッジ。
ＡＭ．上部表面は、剃毛平面からのある垂直距離内にある、段落ＡＥに記載の剃毛かみそりカートリッジ。
ＡＮ．上部表面は、剃毛平面と下部表面との間に配設されている、段落ＡＭに記載の剃毛かみそりカートリッジ。
ＡＯ．垂直距離は１ｍｍ未満である、段落ＡＮに記載の剃毛かみそりカートリッジ。
ＡＰ．
前端部と後端部との間に延在するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁と、
下部表面と内部表面とを備える後壁と、
上部開口部を画定する上部表面と、を備えるハンドルインターフェース部分と、を備えるハウジングと、
キャップとガードとの間の刃支持部分内に配設された少なくとも１つのかみそり刃であって、刃支持部分の両側部の間に横方向に延在する、少なくとも１つのかみそり刃と、を備え、
下部表面は下部開口部を画定するように協働し、
前壁と後壁は、内部表面が協働して、上部開口部と下部開口部との間に延在するハンドルレセプタクルを少なくとも部分的に画定するように、互いに離間されており、
上部開口部は、下部開口部よりも剃毛平面に近接しており、
下部開口部は、ハンドルインターフェース部分に沿って長手方向に延在する第１の幅を有し、
上部開口部は、ハンドルインターフェース部分に沿って長手方向に延在する第２の幅を有し、
第１の幅は第２の幅よりも広い、剃毛かみそりカートリッジ。
ＡＱ．第１の幅は約３ｍｍ〜約８ｍｍであり、第２の幅は約１．５ｍｍ〜約５ｍｍである、段落ＡＰに記載の剃毛かみそりカートリッジ。
ＡＲ．第１の幅は約６．５ｍｍであり、第２の幅は約３．６ｍｍである、段落ＡＱに記載の剃毛かみそりカートリッジ。
ＡＳ．前壁及び後壁のそれぞれの内部表面は、上部開口部に向かって内向きに先細になっている、段落ＡＰに記載の剃毛かみそりカートリッジ。
ＡＴ．ハンドルインターフェース部分は、下部表面と内部表面とを備える第１の側壁と、下部表面と内部表面とを備える第２の側壁と、を更に備え、
第１の側壁と第２の側壁は互いに離間されており、前壁と後壁との間に延在して、前壁、後壁、第１の側壁、及び第２の側壁が協働してハンドルレセプタクルを画定するようになっており、
第１の側壁及び第２の側壁のそれぞれの内部表面は、上部開口部に向かって内向きに先細になっている、段落ＡＳに記載の剃毛かみそりカートリッジ。
ＡＵ．前壁の内部表面は前方平面に沿って延在し、
後壁の内部表面は後方平面に沿って延在し、
前方平面と後方平面は、ある夾角をなして交差する、段落ＡＰに記載の剃毛かみそりカートリッジ。
ＡＶ．夾角は約３０度〜約７０度である、段落ＡＵに記載の剃毛かみそりカートリッジ。
ＡＷ．夾角は約４５度〜約４８度である、段落ＡＶに記載の剃毛かみそりカートリッジ。
ＡＸ．上部表面は、剃毛平面からのある垂直距離内にある、段落ＡＰに記載の剃毛かみそりカートリッジ。
ＡＹ．上部表面は、剃毛平面と下部表面との間に配設されている、段落ＡＸに記載の剃毛かみそりカートリッジ。
ＡＺ．垂直距離は１ｍｍ未満である、段落ＡＹに記載の剃毛かみそりカートリッジ。
ＢＡ．前端部と後端部との間に延在するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁であって、内部表面は前方平面に沿って延在する前壁と、
下部表面と内部表面とを備える後壁であって、内部表面は後方平面に沿って延在する後壁と、
上部表面と、
前壁と上部表面との間に配設されており、内部表面を備える前方リップ部分と、
前壁と上部表面との間に配設されており、内部表面を備える後方リップ部分と、を備えるハンドルインターフェース部分と、を備えるハウジングと、
キャップとガードとの間の刃支持部分内に配設された少なくとも１つのかみそり刃と、を備え、
下部表面は下部開口部を画定するように協働し、
前壁及び前方リップ部分はそれぞれ、後壁及び後方リップ部分から各々離間されており、それにより、前壁、後壁、前方リップ部分、及び後方リップ部分の各々の内部表面は、下部開口部へと延在するハンドルレセプタクルを少なくとも部分的に画定するように協働し、
後壁は、前壁よりも刃支持部分に近接しており、
前壁の内部表面と前方リップ部分の内部表面は共平面をなさない、剃毛かみそりカートリッジ。
ＢＢ．前方リップ部分の内部表面と後方リップ部分の内部表面は互いに対して実質的に平行である、段落ＢＡに記載の剃毛かみそりカートリッジ。
ＢＣ．前方リップ部分の内部表面と後方リップ部分の内部表面は剃毛平面に対して実質的に垂直である、段落ＢＢに記載の剃毛かみそりカートリッジ。
ＢＤ．前壁の内部表面と後壁の内部表面は、互いに対して約３０度〜約７０度の角度をなす、段落ＢＡに記載の剃毛かみそりカートリッジ。
ＢＥ．前壁の内部表面と後壁の内部表面は、互いに対して約４５度〜約４８度の角度をなす、段落ＢＤに記載の剃毛かみそりカートリッジ。
ＢＦ．ハンドルインターフェース部分は、上部開口部を画定する上部表面を更に備え、  ハンドルレセプタクルは、上部開口部と下部開口部との間に延在し、
上部開口部は、下部開口部よりも剃毛平面に近接している、段落ＢＡに記載の剃毛かみそりカートリッジ。
ＢＧ．前方リップ部分及び後方リップ部分は上部表面へと延在する、段落ＢＦに記載の剃毛かみそりカートリッジ。
ＢＨ．前壁及び後壁のそれぞれの内部表面は、上部開口部に向かって内向きに先細になっている、段落ＢＦに記載の剃毛かみそりカートリッジ。
ＢＩ．上部表面は、剃毛平面からのある垂直距離内にある、段落ＢＡに記載の剃毛かみそりカートリッジ。
ＢＪ．上部表面は、剃毛平面と下部表面との間に配設されている、段落ＢＩに記載の剃毛かみそりカートリッジ。
ＢＫ．垂直距離は１ｍｍ未満である、段落ＢＪに記載の剃毛かみそりカートリッジ。
ＢＬ．前方リップ部分と後方リップ部分の１つ以上が、ハンドルの一部分と係合するように構成されている、段落ＢＡに記載の剃毛かみそりカートリッジ。
ＢＭ．
前端部と後端部との間に延在するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁であって、内部表面は前方平面に沿って延在する前壁と、
下部表面と内部表面とを備える後壁であって、内部表面は後方平面に沿って延在する後壁と、
上部開口部を画定する上部表面と、
前壁と上部表面との間に配設されており、内部表面を備える前方リップ部分と、
前壁と上部表面との間に配設されており、内部表面を備える後方リップ部分と、を備えるハンドルインターフェース部分と、を備えるハウジングと、
キャップとガードとの間の刃支持部分内に配設された少なくとも１つのかみそり刃と、を備え、
下部表面は下部開口部を画定するように協働し、
前壁及び前方リップ部分はそれぞれ、後壁及び後方リップ部分から各々離間されており、それにより、前壁、後壁、前方リップ部分、及び後方リップ部分の各々の内部表面は、下部開口部と上部開口部との間に延在するハンドルレセプタクルを少なくとも部分的に画定するように協働し、
後壁は、前壁よりも刃支持部分に近接しており、
上部開口部は、下部開口部よりも剃毛平面に近接しており、
前方リップ部分と後方リップ部分の１つ以上が、ハンドルの一部分と係合するように構成されている、剃毛かみそりカートリッジ。
ＢＮ．後壁の内部表面と後方リップ部分の内部表面は概ね共平面をなす、段落ＢＭに記載の剃毛かみそりカートリッジ。
ＢＯ．前方リップ部分の内部表面と後方リップ部分の内部表面は互いに対して実質的に平行である、段落ＢＭに記載の剃毛かみそりカートリッジ。
ＢＰ．前方リップ部分の内部表面と後方リップ部分の内部表面は、剃毛平面に対して実質的に垂直である、段落ＢＯに記載の剃毛かみそりカートリッジ。
ＢＱ．前壁の内部表面と後壁の内部表面は、互いに対して約３０度〜約７０度の角度をなす、段落ＢＭに記載の剃毛かみそりカートリッジ。
ＢＲ．前壁の内部表面と後壁の内部表面は、互いに対して約４５度〜約４８度の角度をなす、段落ＢＱに記載の剃毛かみそりカートリッジ。
ＢＳ．前方リップ部分及び後方リップ部分は上部表面へと延在する、段落ＢＭに記載の剃毛かみそりカートリッジ。
ＢＴ．前壁及び後壁のそれぞれの内部表面は、上部開口部に向かって内向きに先細になっている、段落ＢＭに記載の剃毛かみそりカートリッジ。
ＢＵ．上部表面は、剃毛平面からのある垂直距離内にある、段落ＢＭに記載の剃毛かみそりカートリッジ。
ＢＶ．上部表面は、剃毛平面と下部表面との間に配設されている、段落ＢＵに記載の剃毛かみそりカートリッジ。
ＢＷ．垂直距離は１ｍｍ未満である、段落ＢＶに記載の剃毛かみそりカートリッジ。
ＢＸ．
前端部と後端部との間に延在するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁であって、内部表面は前方平面に沿って延在する前壁と、
下部表面と内部表面とを備える後壁であって、内部表面は後方平面に沿って延在する後壁と、
上部開口部を画定する上部表面と、
前壁と上部表面との間に配設されており、内部表面を備える前方リップ部分と、
前壁と上部表面との間に配設されており、内部表面を備える後方リップ部分と、を備えるハンドルインターフェース部分と、を備えるハウジングと、
キャップとガードとの間の刃支持部分内に配設された少なくとも１つのかみそり刃と、を備え、
下部表面は下部開口部を画定するように協働し、
前壁及び前方リップ部分はそれぞれ、後壁及び後方リップ部分から各々離間されており、それにより、前壁、後壁、前方リップ部分、及び後方リップ部分の各々の内部表面は、上部開口部と下部開口部との間に延在するハンドルレセプタクルを少なくとも部分的に画定するように協働し、
前方リップ部分及び後方リップ部分は上部表面へと延在し、
前壁の内部表面と前方リップ部分の内部表面は共平面をなさず、
前壁及び後壁のそれぞれの内部表面は、上部開口部に向かって内向きに先細になっている、剃毛かみそりカートリッジ。
ＢＹ．後壁の内部表面と後方リップ部分の内部表面は概ね共平面をなす、段落ＢＸに記載の剃毛かみそりカートリッジ。
ＢＺ．前方リップ部分の内部表面と後方リップ部分の内部表面は互いに対して実質的に平行である、段落ＢＸに記載の剃毛かみそりカートリッジ。
ＣＡ．前方リップ部分の内部表面と後方リップ部分の内部表面は剃毛平面に対して実質的に垂直である、段落ＢＺに記載の剃毛かみそりカートリッジ。
ＣＢ．前壁の内部表面と後壁の内部表面は、互いに対して約３０度〜約７０度の角度をなす、段落ＢＸに記載の剃毛かみそりカートリッジ。
ＣＣ．前壁の内部表面と後壁の内部表面は、互いに対して約４５度〜約４８度の角度をなす、段落ＣＢに記載の剃毛かみそりカートリッジ。
ＣＤ．上部表面は、剃毛平面からのある垂直距離内にある、段落ＣＣに記載の剃毛かみそりカートリッジ。
ＣＥ．上部表面は、剃毛平面と下部表面との間に配設されている、段落ＣＤに記載の剃毛かみそりカートリッジ。
ＣＦ．垂直距離は１ｍｍ未満である、段落ＣＥに記載の剃毛かみそりカートリッジ。
ＣＧ．後壁は、前壁よりも刃支持部分に近接している、段落ＢＸに記載の剃毛かみそりカートリッジ。
ＣＨ．剃毛かみそりカートリッジであって、
前端部と後端部との間に延在するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁であって、内部表面は前方平面に沿って延在する前壁と、
下部表面と内部表面とを備える後壁であって、内部表面は後方平面に沿って延在する後壁と、
上部開口部を画定する上部表面と、
前壁と上部表面との間に配設されており、内部表面を備える前方リップ部分と、
前壁と上部表面との間に配設されており、内部表面を備える後方リップ部分と、を備えるハンドルインターフェース部分と、を備えるハウジングと、
キャップとガードとの間の刃支持部分内に配設された少なくとも１つのかみそり刃であって、刃支持部分の両側部の間に横方向に延在する、少なくとも１つのかみそり刃と、を備え、
下部表面は下部開口部を画定するように協働し、
前壁及び前方リップ部分はそれぞれ、後壁及び後方リップ部分から各々離間されており、それにより、前壁、後壁、前方リップ部分、及び後方リップ部分の各々の内部表面は、上部開口部と下部開口部との間に延在するハンドルレセプタクルを少なくとも部分的に画定するように協働し、
前方リップ部分及び後方リップ部分は上部表面へと延在し、
下部開口部は、ハンドルインターフェース部分に沿って長手方向に延在する第１の幅を有し、
上部開口部は、ハンドルインターフェース部分に沿って長手方向に延在する第２の幅を有し、
第１の幅は第２の幅よりも広い、剃毛かみそりカートリッジ。
ＣＩ．前方リップ部分の内部表面と後方リップ部分の内部表面は互いに対して実質的に平行である、段落ＣＨに記載の剃毛かみそりカートリッジ。
ＣＪ．前方リップ部分の内部表面と後方リップ部分の内部表面は、剃毛平面に対して実質的に垂直である、段落ＣＨに記載の剃毛かみそりカートリッジ。
ＣＫ．前壁の内部表面と後壁の内部表面は、互いに対して約３０度〜約７０度の角度をなす、段落ＣＨに記載の剃毛かみそりカートリッジ。
ＣＬ．前壁の内部表面と後壁の内部表面は、互いに対して約４５度〜約４８度の角度をなす、段落ＣＫに記載の剃毛かみそりカートリッジ。
ＣＭ．上部表面は、剃毛平面からのある垂直距離内にある、段落ＣＨに記載の剃毛かみそりカートリッジ。
ＣＮ．上部表面は、剃毛平面と下部表面との間に配設されている、段落ＣＭに記載の剃毛かみそりカートリッジ。
ＣＯ．垂直距離は１ｍｍ未満である、段落ＣＮに記載の剃毛かみそりカートリッジ。
ＣＰ．
前端部と後端部との間に延在するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える後壁であって、内部表面は後方平面に沿って延在する後壁と、
下部表面と内部表面とを備える前壁であって、後壁から離間されており、ハンドルレセプタクルを少なくとも部分的に画定するように後壁と協働する前壁と、を備えるハンドルインターフェース部分と、を備えるハウジングと、
キャップとガードとの間の刃支持部分内に配設された少なくとも１つのかみそり刃と、を備え、
下部表面は、ハンドルレセプタクルが延在する下部開口部を画定するように協働し、
後壁は、前壁よりも刃支持部分に近接しており、
後壁は、剃毛平面に対して実質的に垂直であり、
前壁は第１の高さを有し、後壁は第２の高さを有し、第１の高さは第２の高さよりも低い、剃毛かみそりカートリッジ。
ＣＱ．前壁の内部表面は実質的に平面であり、前方平面を規定し、前壁は、前方平面と後方平面とが夾角をなして交差するように、後壁に対して角度をなす、段落ＣＰに記載の剃毛かみそりカートリッジ。
ＣＲ．夾角は約３０度〜約７０度である、段落ＣＱに記載の剃毛かみそりカートリッジ。
ＣＳ．第１の高さは約１．５ｍｍ〜約７．５ｍｍであり、第２の高さは約７．５ｍｍ〜約１２ｍｍである、段落ＣＰに記載の剃毛かみそりカートリッジ。
ＣＴ．ハンドルインターフェース部分は、上部開口部を画定する上部表面を更に備え、  ハンドルレセプタクルは上部開口部へと延在し、
上部開口部は、下部開口部よりも剃毛平面に近接している、段落ＣＰに記載の剃毛かみそりカートリッジ。
ＣＵ．
少なくとも１つのかみそり刃は、刃支持部分の両側部の間に横方向に延在し、
下部開口部は、ハンドルインターフェース部分に沿って横方向に延在する第１の長さを有し、
上部開口部は、ハンドルインターフェース部分に沿って横方向に延在する第２の長さを有し、
第１の長さは第２の長さよりも長い、段落ＣＴに記載の剃毛かみそりカートリッジ。
ＣＶ．第１の長さは約２９ｍｍ〜約３９ｍｍであり、第２の長さは約２６ｍｍ〜約３６ｍｍである、段落ＣＵに記載の剃毛かみそりカートリッジ。
ＣＷ．前壁及び後壁のそれぞれの内部表面は、上部開口部に向かって内向きに先細になっている、段落ＣＶに記載の剃毛かみそりカートリッジ。
ＣＸ．上部表面は、剃毛平面からのある垂直距離内にある、段落ＣＴに記載の剃毛かみそりカートリッジ。
ＣＹ．上部表面は、剃毛平面と下部表面との間に配設されている、段落ＣＸに記載の剃毛かみそりカートリッジ。
ＣＺ．垂直距離は１ｍｍ未満である、段落ＣＹに記載の剃毛かみそりカートリッジ。
ＤＡ．
前端部と後端部との間に延在し、ある全幅を規定するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁と、
下部表面と内部表面とを備える後壁と、
上部開口部を画定する上部表面と、を備えるハンドルインターフェース部分と、を備えるハウジングと、
キャップとガードとの間の刃支持部分内に配設された少なくとも１つのかみそり刃であって、刃支持部分の両側部の間に横方向に延在する、少なくとも１つのかみそり刃と、を備え、
下部表面は下部開口部を画定するように協働し、
前壁と後壁は、内部表面が協働して、上部開口部と下部開口部との間に延在するハンドルレセプタクルを少なくとも部分的に画定するように、互いに離間されており、
上部開口部は、ハンドルインターフェース部分に沿って長手方向に延在するある開口部幅を有し、
全幅と開口部幅との比は、約３：１〜約２：１である、剃毛かみそりカートリッジ。
ＤＢ．全幅は約１０ｍｍ〜約１１ｍｍであり、開口部幅は約１．５ｍｍ〜約５ｍｍである、段落ＤＡに記載の剃毛かみそりカートリッジ。
ＤＣ．前壁は第１の高さを有し、後壁は第２の高さを有し、第１の高さは第２の高さよりも低い、段落ＤＡに記載の剃毛かみそりカートリッジ。
ＤＤ．第１の高さは約１．５ｍｍ〜約７．５ｍｍであり、第２の高さは約７．５ｍｍ〜約１２ｍｍである、段落ＤＣに記載の剃毛かみそりカートリッジ。
ＤＥ．
下部開口部は、ハンドルインターフェース部分に沿って横方向に延在する第１の長さを有し、
上部開口部は、ハンドルインターフェース部分に沿って横方向に延在する第２の長さを有し、
第１の長さは第２の長さよりも長い、段落ＤＡに記載の剃毛かみそりカートリッジ。
ＤＦ．第１の長さは約２９ｍｍ〜約３９ｍｍであり、第２の長さは約２６ｍｍ〜約３６ｍｍである、段落ＤＥに記載の剃毛かみそりカートリッジ。
ＤＧ．
前壁の内部表面は実質的に平面であり、前方平面を規定し、
後壁の内部表面は実質的に平面であり、後方平面を規定し、
前壁及び後壁のそれぞれの内部表面は、前方平面と後方平面とが夾角で交差するように、下部開口部に向かって内向きに先細になっている、段落ＤＡに記載の剃毛かみそりカートリッジ。
ＤＨ．前方平面は、剃毛平面に対して実質的に垂直である、段落ＤＧに記載の剃毛かみそりカートリッジ。
ＤＩ．上部表面は、剃毛平面からのある垂直距離内にある、段落ＤＡに記載の剃毛かみそりカートリッジ。
ＤＪ．上部表面は、剃毛平面と下部表面との間に配設されている、段落ＤＩに記載の剃毛かみそりカートリッジ。
ＤＫ．垂直距離は１ｍｍ未満である、段落ＤＪに記載の剃毛かみそりカートリッジ。
ＤＬ．
前端部と後端部との間に延在し、ある全幅を規定するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁と、
下部表面と、中央部分と、第１の遠位部分と、第２の遠位部分と、を備える後壁と、を備えるハンドルインターフェース部分と、を備えるハウジングと、
キャップとガードとの間の刃支持部分内に配設された少なくとも１つのかみそり刃であって、刃支持部分の両側部の間に横方向に延在する、少なくとも１つのかみそり刃と、を備え、
第１の遠位部分及び第２の遠位部分の各々が中央部分から延在し、
中央部分、第１の遠位部分、及び第２の遠位部分は、それぞれの内部表面を備え、
下部表面は下部開口部を画定するように協働し、
前壁と後壁は、内部表面が協働して、下部開口部へと延在するハンドルレセプタクルを少なくとも部分的に画定するように、互いに離間されており、
中央部分の内部表面は、第１の距離だけ前壁から水平方向に離間されており、
第１の遠位部分の内部表面は、第２の距離だけ前壁から水平方向に離間されており、
第１の距離は第２の距離よりも短い、剃毛かみそりカートリッジ。
ＤＭ．第１の距離は約２ｍｍ〜約５ｍｍであり、第２の距離は約２．５ｍｍ〜約５．５ｍｍである、段落ＤＬに記載の剃毛かみそりカートリッジ。
ＤＮ．第２の遠位部分の内部表面は、第２の距離と実質的に等しい第３の距離だけ、前壁から水平方向に離間されている、段落ＤＬに記載の剃毛かみそりカートリッジ。
ＤＯ．後壁は、前壁よりも刃支持部分に近接している、段落ＤＬに記載の剃毛かみそりカートリッジ。
ＤＰ．
ハンドルインターフェース部分は、上部開口部を画定する上部表面を備え、
ハンドルレセプタクルは上部開口部へと延在し、
上部開口部は、下部開口部よりも剃毛平面に近接している、段落ＤＬに記載の剃毛かみそりカートリッジ。
ＤＱ．上部表面は、剃毛平面から離間されている、段落ＤＰに記載の剃毛かみそりカートリッジ。
ＤＲ．第１の遠位部分及び第２の遠位部分のそれぞれの内部表面が、剃毛平面に対して実質的に垂直に延在し、後壁の下部表面へと延在する、段落ＤＬに記載の剃毛かみそりカートリッジ。
ＤＳ．
前端部と後端部との間に延在し、ある全幅を規定するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁と、
下部表面と、中央部分と、第１の遠位部分と、第２の遠位部分と、を備える後壁と、を備えるハンドルインターフェース部分と、を備えるハウジングと、
キャップとガードとの間の刃支持部分内に配設された少なくとも１つのかみそり刃と、を備え、
第１の遠位部分及び第２の遠位部分の各々が中央部分から延在し、
中央部分、並びに第１の遠位部分及び第２の遠位部分の各々は、それぞれの内部表面を備え、
下部表面は下部開口部を画定するように協働し、
前壁と後壁は、内部表面が協働して、下部開口部へと延在するハンドルレセプタクルを少なくとも部分的に画定するように、互いに離間されており、
後壁の中央部分は第１の厚さを備え、
後壁の第１の遠位部分は第２の厚さを備え、
第１の厚さは第２の厚さよりも厚い、剃毛かみそりカートリッジ。
ＤＴ．第１の厚さと第２の厚さとの比が約３：１〜約３：２である、段落ＤＳに記載の剃毛かみそりカートリッジ。
ＤＵ．第１の厚さは約０．７５ｍｍ〜約３ｍｍであり、第２の厚さは約０．５ｍｍ〜約１ｍｍである、段落ＤＴに記載の剃毛かみそりカートリッジ。
ＤＶ．第１の厚さは約１ｍｍであり、第２の厚さは約０．７５ｍｍである、段落ＤＵに記載の剃毛かみそりカートリッジ。
ＤＷ．後壁の第２の遠位部分は第３の厚さを備え、第２の厚さと第３の厚さは実質的に同じである、段落ＤＳに記載の剃毛かみそりカートリッジ。
ＤＸ．後壁は、前壁よりも刃支持部分に近接している、段落ＤＳに記載の剃毛かみそりカートリッジ。
ＤＹ．第１の遠位部分及び第２の遠位部分のうちの１つ以上は、ハンドルレセプタクルに対するハンドルの取り外し及び挿入を容易にするために、中央部分に対して屈曲するように構成されている、段落ＤＳに記載の剃毛かみそりカートリッジ。
ＤＺ．
ハンドルインターフェース部分は、上部開口部を画定する上部表面を備え、
ハンドルレセプタクルは、上部開口部と下部開口部との間に延在し、
上部開口部は、下部開口部よりも剃毛平面に近接している、段落ＤＳに記載の剃毛かみそりカートリッジ。
ＥＡ．上部表面は、剃毛平面からのある垂直距離内にある、段落ＤＺに記載の剃毛かみそりカートリッジ。
ＥＢ．上部表面は、剃毛平面と下部表面との間に配設されている、段落ＥＡに記載の剃毛かみそりカートリッジ。
ＥＣ．垂直距離は１ｍｍ未満である、段落ＥＢに記載の剃毛かみそりカートリッジ。
ＥＤ．後壁の中央部分から前壁に向かって延在するロック部材を更に備え、ロック部材は、ハウジングに対するかみそりハンドルの選択的保持を促進するように構成されている、段落ＤＳに記載の剃毛かみそりカートリッジ。
ＥＥ．刃支持部分は、少なくとも１つのかみそり刃を支持する刃支持部材を備え、
ロック部材は、刃支持部材と概ね垂直方向に整列される上部表面を備える、段落ＥＤに記載の剃毛かみそりカートリッジ。
ＥＦ．ロック部材は、偏向部材と少なくとも１つの支持アームとを備え、偏向部材は、少なくとも１つの支持アームに連結され、少なくとも１つの支持アームは、偏向部材が後壁からオフセットされるように後壁に連結されている、段落ＥＤに記載の剃毛かみそりカートリッジ。
ＥＧ．ロック部材は上部表面を備え、ロック部材の上部表面と後壁の下部表面は互いに離間されている、段落ＥＤに記載の剃毛かみそりカートリッジ。
ＥＨ．ロック部材の上部表面と後壁の下部表面は、かみそりハンドルの少なくとも一部分を受容するように構成されたスロットをそれらの間に画定するように協働する、段落ＥＧに記載の剃毛かみそりカートリッジ。
ＥＩ．剃毛かみそりカートリッジであって、
前端部と後端部との間に延在し、ある全幅を規定するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁と、
下部表面と、中央部分と、第１の遠位部分と、第２の遠位部分とを備える後壁であって、中央部分、第１の遠位部分及び第２の遠位部分はそれぞれ、対応する内部表面を備える、後壁と、を備えるハンドルインターフェース部分と、を備えるハウジングと、
キャップとガードとの間の刃支持部分内に配設された少なくとも１つのかみそり刃と、を備え、
第１の遠位部分及び第２の遠位部分の各々が中央部分から延在し、
第１の遠位部分及び第２の遠位部分の各々は、ハンドルの一部分を受容するように構成されたノッチを画定する、剃毛かみそりカートリッジ。
ＥＪ．後壁の中央部分から前壁に向かって延在するロック部材を更に備え、ロック部材は、ハウジングに対するかみそりハンドルの選択的保持を促進するように構成されている、段落ＥＩに記載の剃毛かみそりカートリッジ。
ＥＫ．ロック部材は上部表面を備え、ロック部材の上部表面と後壁の下部表面は互いに離間されている、段落ＥＪに記載の剃毛かみそりカートリッジ。
ＥＬ．ロック部材の上部表面と後壁の下部表面は、かみそりハンドルの少なくとも一部分を受容するように構成されたスロットをそれらの間に画定するように協働する、段落ＥＫに記載の剃毛かみそりカートリッジ。
ＥＭ．
前端部と後端部との間に延在するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁と、
下部表面と内部表面とを備える後壁と、
前壁と後壁との間に延在し、下部表面と内部表面とを備える第１の側壁と、
前壁と後壁との間に延在し、下部表面と内部表面とを備える第２の側壁と、
上部開口部を画定する上部表面と、
第１の内部ショルダ表面を備え、前壁、後壁、及び第１の側壁のうちの少なくとも１つから横方向に延在する第１のショルダ部分であって、第１のショルダ部分が延出する前壁、後壁、及び第１の側壁の各々の内部表面が、第１の境界面において第１の内部ショルダ表面と会合するようになっている、第１のショルダ部分と、を備えるハンドルインターフェース部分と、を備えるハウジングと、
キャップとガードとの間の刃支持部分内に配設された少なくとも１つのかみそり刃と、を備え、
下部表面は下部開口部を画定するように協働し、
第１の側壁と第２の側壁は互いに離間されており、前壁と後壁は互いに離間されており、それにより、前壁、後壁、第１の側壁、及び第２の側壁のそれぞれの内部表面は、上部開口部と下部開口部との間に延在するハンドルレセプタクルを画定するように協働し、
前壁と、後壁と、第１の側壁と、第２の側壁とは、第１の境界面に沿って延在する第１の外周を画定するように協働し、
第１のショルダ部分は上部表面へと延在し、
上部開口部は第２の外周を画定し、
第１の外周は第２の外周よりも長い、剃毛かみそりカートリッジ。
ＥＮ．第２の内部ショルダ表面を備える第２のショルダ部分を更に備え、
第１のショルダ部分は、第１の側壁の内部表面が第１の境界面において第１の内部ショルダ表面と会合するように、第１の側壁から横方向に延在し、
第２のショルダ部分は、第２の側壁の内部表面が第２の境界面において第２の内部ショルダ表面と会合するように、第２の側壁から横方向に延在し、
第１の外周は、付加的に第２の境界面に沿って延在する、段落ＥＭに記載の剃毛かみそりカートリッジ。
ＥＯ．第１の内部ショルダ表面及び第２の内部ショルダ表面はそれぞれ、下部開口部よりも上部開口部に近接している、段落ＥＮに記載の剃毛かみそりカートリッジ。
ＥＰ．第１の内部ショルダ表面及び第２の内部ショルダ表面はそれぞれ、約０．５ｍｍ〜約３ｍｍの垂直距離だけ、剃毛平面から各々離間されている、段落ＥＯに記載の剃毛かみそりカートリッジ。
ＥＱ．垂直距離は約１ｍｍである、段落ＥＰに記載の剃毛かみそりカートリッジ。
ＥＲ．後壁から前壁に向かって延在するロック部材を更に備え、ロック部材は、ハウジングに対するかみそりハンドルの選択的保持を促進するように構成されており、
ロック部材は上部表面を備え、
ロック部材の上部表面は、２ｍｍ〜７ｍｍの垂直距離だけ、第１のショルダ部分の第１の内部ショルダ表面から離間されている、段落ＥＯに記載の剃毛かみそりカートリッジ。
ＥＳ．垂直距離は約５ｍｍである、段落ＥＲに記載の剃毛かみそりカートリッジ。
ＥＴ．第１の内部ショルダ表面及び第２の内部ショルダ表面はそれぞれ、実質的に平面であり、剃毛平面と実質的に平行である、段落ＥＮに記載の剃毛かみそりカートリッジ。
ＥＵ．前壁及び後壁の内部表面は、上部開口部に向かって内向きに先細になっている、段落ＥＭに記載の剃毛かみそりカートリッジ。
ＥＶ．
少なくとも１つのかみそり刃は、刃支持部分の両側部の間に横方向に延在し、
下部開口部は、ハンドルインターフェース部分に沿って横方向に延在する第１の長さを有し、
上部開口部は、ハンドルインターフェース部分に沿って横方向に延在する第２の長さを有し、
第１の長さは第２の長さよりも長い、段落ＥＭに記載の剃毛かみそりカートリッジ。
ＥＷ．第１の長さは約２９ｍｍ〜約３９ｍｍであり、第２の長さは約２６ｍｍ〜約３６ｍｍである、段落ＥＶに記載の剃毛かみそりカートリッジ。
ＥＸ．
前端部と後端部との間に延在するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部開口部を画定する下部表面を備える壁と、
上部開口部を画定する上部表面と、
内部ショルダ表面を備え、壁から延在するショルダ部分であって、上部開口部と下部開口部との間に延在するハンドルレセプタクルを画定するように壁と協働し、上部表面へと延在するショルダ部分と、を備えるハンドルインターフェース部分と、を備えるハウジングと、
キャップとガードとの間の刃支持部分内に配設された少なくとも１つのかみそり刃と、を備え、上部開口部は、上部開口部よりも剃毛平面に近接している、剃毛かみそりカートリッジ。
ＥＹ．
壁は側壁を含み、
ショルダ部分は側壁から横方向に延在する、段落ＥＸに記載の剃毛かみそりカートリッジ。
ＥＺ．
少なくとも１つのかみそり刃は、刃支持部分の両側部の間に横方向に延在し、
下部開口部は、ハンドルインターフェース部分に沿って横方向に延在する第１の長さを有し、
上部開口部は、ハンドルインターフェース部分に沿って横方向に延在する第２の長さを有し、
第１の長さは第２の長さよりも長い、段落ＥＸに記載の剃毛かみそりカートリッジ。
ＦＡ．第１の長さは約２９ｍｍ〜約３９ｍｍであり、第２の長さは約２６ｍｍ〜約３６ｍｍである、段落ＥＺに記載の剃毛かみそりカートリッジ。
ＦＢ．ショルダ部分の内部表面は、実質的に平面であり、剃毛平面と実質的に平行である、段落ＥＸに記載の剃毛かみそりカートリッジ。
ＦＣ．
少なくとも１つのかみそり刃は、刃支持部分の両側部の間に横方向に延在し、
下部開口部は、ハンドルインターフェース部分に沿って長手方向に延在する第１の幅を有し、
上部開口部は、ハンドルインターフェース部分に沿って長手方向に延在する第２の幅を有し、
第１の幅は第２の幅よりも広い、段落ＥＸに記載の剃毛かみそりカートリッジ。
ＦＤ．第１の幅は約３ｍｍ〜約８ｍｍであり、第２の幅は約１．５ｍｍ〜約５ｍｍである、段落ＦＣに記載の剃毛かみそりカートリッジ。
ＦＥ．内部ショルダ表面は、下部開口部よりも上部開口部に近接している、段落ＥＸに記載の剃毛かみそりカートリッジ。
ＦＦ．内部ショルダ表面は、約０．５ｍｍ〜約３ｍｍの垂直距離だけ、剃毛平面から離間されている、段落ＥＸに記載の剃毛かみそりカートリッジ。
ＦＧ．垂直距離は約１ｍｍである、段落ＦＦに記載の剃毛かみそりカートリッジ。
ＦＨ．壁から延在するロック部材を更に備え、ロック部材は、ハウジングに対するかみそりハンドルの選択的保持を促進するように構成されており、
ロック部材は上部表面を備え、
ロック部材の上部表面は、２ｍｍ〜７ｍｍの垂直距離だけ、内部ショルダ表面から離間されている、段落ＦＸに記載の剃毛かみそりカートリッジ。
ＦＩ．垂直距離は約５ｍｍである、段落ＦＨに記載の剃毛かみそりカートリッジ。
ＦＪ．
前端部と後端部との間に延在するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁と、
下部表面と内部表面とを備える後壁と、
前壁と後壁との間に延在し、下部表面と内部表面とを備える第１の側壁と、
前壁と後壁との間に延在し、下部表面と内部表面とを備える第２の側壁と、
上部開口部を画定する上部表面と、
第１の内部ショルダ表面を備え、第１の側壁、並びに前壁及び後壁の各々の一部分から横方向に延在する第１のショルダ部分であって、第１の側壁、前壁、及び後壁のそれぞれの内部表面が、第１の境界面において第１の内部ショルダ表面と会合するようになっている、第１のショルダ部分と、
第２の内部ショルダ表面を備え、第２の側壁、並びに前壁及び後壁の各々の一部分から横方向に延在する第２のショルダ部分であって、第２の側壁、前壁、及び後壁のそれぞれの内部表面が、第２の境界面において第２の内部ショルダ表面と会合するようになっている、第２のショルダ部分と、を備えるハンドルインターフェース部分と、を備えるハウジングと、
キャップとガードとの間の刃支持部分内に配設された少なくとも１つのかみそり刃と、を備え、
前壁と、後壁と、第１の側壁と、第２の側壁とは、第１の境界面及び第２の境界面に沿って延在する第１の外周を画定するように協働し、
下部表面は下部開口部を画定するように協働し、
第１の側壁と第２の側壁は互いに離間されており、前壁と後壁は互いに離間されており、それにより、前壁、後壁、第１の側壁、第２の側壁、第１のショルダ部分、及び第２のショルダ部分のそれぞれの内部表面は、上部開口部と下部開口部との間に延在するハンドルレセプタクルを画定するように協働し、
第１のショルダ部分及び第２のショルダ部分の各々は上部開口部へと延在し、
上部開口部は第２の外周を画定し、
第１の外周は第２の外周よりも短く、
上部開口部は、下部開口部よりも剃毛平面に近接している、剃毛かみそりカートリッジ。
ＦＫ．
少なくとも１つのかみそり刃は、刃支持部分の両側部の間に横方向に延在し、
下部開口部は、ハンドルインターフェース部分に沿って横方向に延在する第１の長さを有し、
上部開口部は、ハンドルインターフェース部分に沿って横方向に延在する第２の長さを有し、
第１の長さは第２の長さよりも長い、段落ＦＪに記載の剃毛かみそりカートリッジ。
ＦＬ．第１の長さは約２９ｍｍ〜約３９ｍｍであり、第２の長さは約２６ｍｍ〜約３６ｍｍである、段落ＦＫに記載の剃毛かみそりカートリッジ。
ＦＭ．第１のショルダ部分及び第２のショルダ部分は実質的に三日月の形状をなす、段落ＦＪに記載の剃毛かみそりカートリッジ。
ＦＮ．
少なくとも１つのかみそり刃は、刃支持部分の両側部の間に横方向に延在し、
下部開口部は、ハンドルインターフェース部分に沿って長手方向に延在する第１の幅を有し、
上部開口部は、ハンドルインターフェース部分に沿って長手方向に延在する第２の幅を有し、
第１の幅は第２の幅よりも広い、段落ＦＪに記載の剃毛かみそりカートリッジ。
ＦＯ．第１の内部ショルダ表面及び第２の内部ショルダ表面はそれぞれ、下部開口部よりも上部開口部に近接している、段落ＦＪに記載の剃毛かみそりカートリッジ。
ＦＰ．第１の内部ショルダ表面及び第２の内部ショルダ表面はそれぞれ、約０．５ｍｍ〜約３ｍｍの垂直距離だけ、剃毛平面から各々離間されている、段落ＦＯに記載の剃毛かみそりカートリッジ。
ＦＱ．垂直距離は約１ｍｍである、段落ＦＰに記載の剃毛かみそりカートリッジ。
ＦＲ．後壁から前壁に向かって延在するロック部材を更に備え、ロック部材は、ハウジングに対するかみそりハンドルの選択的保持を促進するように構成されており、
ロック部材は上部表面を備え、
ロック部材の上部表面は、２ｍｍ〜７ｍｍの垂直距離だけ、第１のショルダ部分の第１の内部ショルダ表面から離間されている、段落ＦＪに記載の剃毛かみそりカートリッジ。
ＦＳ．垂直距離は約５ｍｍである、段落ＦＲに記載の剃毛かみそりカートリッジ。
ＦＴ．
前端部と後端部との間に延在するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える後壁と、
下部表面と内部表面とを備え、後壁から離間されている前壁と、
後壁と前壁との間に延在し、内部表面を備える第１の側壁と、
後壁と前壁との間に延在し、内部表面を備える第２の側壁であって、第１の側壁から離間されている第２の側壁と、を備えるハンドルインターフェース部分と、を備えるハウジングと、
キャップとガードとの間の刃支持部分内に配設された少なくとも１つのかみそり刃と、を備え、
前壁は、一対の前方角部において第１の側壁及び第２の側壁の各々と交差し、
後壁は、一対の後方角部において第１の側壁及び第２の側壁の各々と交差し、
下部表面は下部開口部を画定するように協働し、
前壁と、後壁と、第１の側壁と、第２の側壁とは、下部開口部へと延在するハンドルレセプタクルを少なくとも部分的に画定するように協働し、
後壁は、前壁よりも刃支持部分に近接しており、
前方角部及び後方角部のうちの１つ以上は、ハンドルレセプタクルに対するハンドルの取り外し及び挿入を容易にするように、前壁、後壁、第１の側壁、及び第２の側壁の隣接するそれぞれの部分に対して屈曲するように構成されている、剃毛かみそりカートリッジ。
ＦＵ．前方角部及び後方角部の各々は、ハンドルレセプタクルに対するハンドルの取り外し及び挿入を容易にするように、前壁、後壁、第１の側壁、及び第２の側壁の隣接するそれぞれの部分に対して屈曲するように構成されている、段落ＦＴに記載の剃毛かみそりカートリッジ。
ＦＶ．
前方角部のうちの１つ以上は、第１の断面二次モーメントを有し、
前壁、第１の側壁、及び第２の側壁のうちの１つ以上は、前方角部の付近で第２の断面二次モーメントを有し、
第２の断面二次モーメントは第１の断面二次モーメントよりも大きい、段落ＦＴに記載の剃毛かみそりカートリッジ。
ＦＷ．第１の断面二次モーメントは約２ｍｍ4未満である、段落ＦＶに記載の剃毛かみそりカートリッジ。
ＦＸ．
後方角部のうちの１つ以上は、第１の断面二次モーメントを有し、
後壁、第１の側壁、及び第２の側壁のうちの１つ以上は、後方角部の付近で第２の断面二次モーメントを有し、
第２の断面二次モーメントは第１の断面二次モーメントよりも大きい、段落ＦＴに記載の剃毛かみそりカートリッジ。
ＦＹ．第１の断面二次モーメントは約２ｍｍ4未満である、段落ＦＸに記載の剃毛かみそりカートリッジ。
ＦＺ．
前方角部のうちの１つ以上は、第１の断面二次モーメントを有し、
後方角部のうちの１つ以上は、第２の断面二次モーメントを有し、
前壁、後壁、第１の側壁、及び第２の側壁のうちの１つ以上は、前方角部の付近で第３の断面二次モーメントを有し、
第３の断面二次モーメントは、第１の断面二次モーメント及び第２の断面二次モーメントの各々よりも大きい、段落ＦＴに記載の剃毛かみそりカートリッジ。
ＧＡ．第１の断面二次モーメント及び第２の断面二次モーメントの１つ以上は約２ｍｍ4未満である、段落ＦＺに記載の剃毛かみそりカートリッジ。
ＧＢ．第１の断面二次モーメントと第２の断面二次モーメントは実質的に等しい、段落ＧＡに記載の剃毛かみそりカートリッジ。
ＧＣ．前壁は第１の高さを有し、後壁は第２の高さを有し、第１の高さは第２の高さよりも低い、段落ＦＴに記載の剃毛かみそりカートリッジ。
ＧＤ．第１の高さは約１．５ｍｍ〜約７．５ｍｍであり、第２の高さは約７．５ｍｍ〜約１２ｍｍである、段落ＧＣに記載の剃毛かみそりカートリッジ。
ＧＥ．
ハンドルインターフェース部分は、上部開口部を画定する上部表面を更に備え、
ハンドルレセプタクルは、下部開口部と上部開口部との間に延在し、
上部開口部は、下部開口部よりも剃毛平面に近接している、段落ＦＴに記載の剃毛かみそりカートリッジ。
ＧＦ．
少なくとも１つのかみそり刃は、刃支持部分の両側部の間に横方向に延在し、
下部開口部は、ハンドルインターフェース部分に沿って横方向に延在する第１の長さを有し、
上部開口部は、ハンドルインターフェース部分に沿って横方向に延在する第２の長さを有し、
第１の長さは第２の長さよりも長い、段落ＧＥに記載の剃毛かみそりカートリッジ。
ＧＧ．第１の長さは約２９ｍｍ〜約３９ｍｍであり、第２の長さは約２６ｍｍ〜約３６ｍｍである、段落ＧＦに記載の剃毛かみそりカートリッジ。
ＧＨ．上部表面は、剃毛平面からのある垂直距離内にある、段落ＧＥに記載の剃毛かみそりカートリッジ。
ＧＩ．上部表面は、剃毛平面と下部表面との間に配設されている、段落ＧＨに記載の剃毛かみそりカートリッジ。
ＧＪ．垂直距離は１ｍｍ未満である、段落ＧＩに記載の剃毛かみそりカートリッジ。
ＧＫ．
前端部と後端部との間に延在するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁と、
下部表面と内部表面とを備える後壁であって、前壁と後壁は、内部表面が協働してハンドルレセプタクルを少なくとも部分的に画定するように、互いに離間されている、後壁と、
上部開口部を画定する上部表面と、
後壁の内部表面から前壁に向かって延在するロック部材であって、ハウジングに対するかみそりハンドルの選択的保持を促進するように構成されているロック部材と、を備えるハンドルインターフェース部分と、を備えるハウジングと、
キャップとガードとの間の刃支持部分内に配設された少なくとも１つのかみそり刃と、を備え、
下部表面は下部開口部を画定するように協働し、
ハンドルレセプタクルは、下部開口部と上部開口部との間に延在し、
ロック部材は、後壁の上に張り出してハンドルレセプタクルの中へと延在し、
上部開口部は、下部開口部よりも剃毛平面に近接している、剃毛かみそりカートリッジ。
ＧＬ．ロック部材は、約１ｍｍ〜約３ｍｍの垂直距離で後壁から延在する、段落ＧＫに記載の剃毛かみそりカートリッジ。
ＧＭ．垂直距離は約２ｍｍである、段落ＧＬに記載の剃毛かみそりカートリッジ。
ＧＮ．
ロック部材は、偏向部材と、少なくとも１つの支持アームとを備え、
少なくとも１つの支持アームは、後壁に連結され、後壁から延在し、
偏向部材は、少なくとも１つの支持アームに連結される、段落ＧＫに記載の剃毛かみそりカートリッジ。
ＧＯ．
偏向部材は、一対の遠位部材と、一対の遠位部材の間に介挿された中央部分と、を備え、
少なくとも１つの支持アームは一対の支持アームを含み、
遠位部材は、支持アームのうちの対応する１つに連結され、
中央部分は、遠位部材よりも前壁に近接している、段落ＧＮに記載の剃毛かみそりカートリッジ。
ＧＰ．偏向部材は上部表面を備え、後壁の下部表面と偏向部材の上部表面は互いに離間されており、それらの間にスロットを画定するように協働する、段落ＧＯに記載の剃毛かみそりカートリッジ。
ＧＱ．偏向部材の上部表面と後壁の内部表面は、互いに対して９０度未満の角度をなす、段落ＧＰに記載の剃毛かみそりカートリッジ。
ＧＲ．偏向部材の上部表面と後壁の内部表面は、互いに対して約８０度の角度をなす、段落ＧＱに記載の剃毛かみそりカートリッジ。
ＧＳ．
後壁の内部表面は実質的に平面であり、ロック部材と交差する後方平面を規定し、
偏向部材は、後方平面と前壁との間に介挿される、段落ＧＮに記載の剃毛かみそりカートリッジ。
ＧＴ．前壁は第１の高さを有し、後壁は第２の高さを有し、第１の高さは第２の高さよりも低い、段落ＧＫに記載の剃毛かみそりカートリッジ。
ＧＵ．第１の高さは約１．５ｍｍ〜約７．５ｍｍであり、第２の高さは約７．５ｍｍ〜約１２ｍｍである、段落ＧＴに記載の剃毛かみそりカートリッジ。
ＧＶ．
少なくとも１つのかみそり刃は、刃支持部分の両側部の間に横方向に延在し、
下部開口部は、ハンドルインターフェース部分に沿って横方向に延在する第１の長さを有し、
上部開口部は、ハンドルインターフェース部分に沿って横方向に延在する第２の長さを有し、
第１の長さは第２の長さよりも長い、段落ＧＵに記載の剃毛かみそりカートリッジ。
ＧＷ．第１の長さは約２９ｍｍ〜約３９ｍｍであり、第２の長さは約２６ｍｍ〜約３６ｍｍである、段落ＧＶに記載の剃毛かみそりカートリッジ。
ＧＸ．上部表面は、剃毛平面からのある垂直距離内にある、段落ＧＫに記載の剃毛かみそりカートリッジ。
ＧＹ．上部表面は、剃毛平面と下部表面との間に配設されている、段落ＧＸに記載の剃毛かみそりカートリッジ。
ＧＺ．垂直距離は１ｍｍ未満である、段落ＧＹに記載の剃毛かみそりカートリッジ。
ＨＡ．
前端部と後端部との間に延在するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁と、
下部表面と内部表面とを備える後壁であって、前壁と後壁は、内部表面が協働してハンドルレセプタクルを少なくとも部分的に画定するように、互いに離間されている、後壁と、
上部開口部を画定する上部表面と、
後壁の内部表面から前壁に向かって延在するロック部材であって、ハウジングに対するかみそりハンドルの選択的保持を促進するように構成されているロック部材と、を備えるハンドルインターフェース部分と、を備えるハウジングと、
キャップとガードとの間の刃支持部分内に配設された少なくとも１つのかみそり刃と、を備え、
下部表面は下部開口部を画定するように協働し、
ハンドルレセプタクルは、下部開口部と上部開口部との間に延在し、
上部開口部は、下部開口部よりも剃毛平面に近接しており、
ロック部材は、偏向部材と、後壁の上に張り出してハンドルレセプタクルの中へと延在する一対の支持アームと、を備え、
一対の支持アームの各支持アームは、後壁に連結され、後壁から延在し、
偏向部材は、一対の遠位部材と、一対の遠位部材の間に介挿された中央部分と、を備え、
遠位部材は、支持アームのうちの対応する１つに連結され、
中央部分は、遠位部材よりも前壁に近接している、剃毛かみそりカートリッジ。
ＨＢ．ロック部材は、約１ｍｍ〜約３ｍｍの垂直距離で後壁から延在する、段落ＨＡに記載の剃毛かみそりカートリッジ。
ＨＣ．垂直距離は約２ｍｍである、段落ＨＢに記載の剃毛かみそりカートリッジ。
ＨＤ．偏向部材は上部表面を備え、後壁の下部表面と偏向部材の上部表面は互いに離間されており、それらの間にスロットを画定するように協働する、段落ＨＣに記載の剃毛かみそりカートリッジ。
ＨＥ．偏向部材の上部表面と後壁の内部表面は、互いに対して９０度未満の角度をなす、段落ＨＡに記載の剃毛かみそりカートリッジ。
ＨＦ．偏向部材の上部表面と後壁の内部表面は、互いに対して約８０度の角度をなす、段落ＨＥに記載の剃毛かみそりカートリッジ。
ＨＧ．前壁は第１の高さを有し、後壁は第２の高さを有し、第１の高さは第２の高さよりも低い、段落ＨＦに記載の剃毛かみそりカートリッジ。
ＨＨ．第１の高さは約１．５ｍｍ〜約７．５ｍｍであり、第２の高さは約７．５ｍｍ〜約１２ｍｍである、段落ＨＧに記載の剃毛かみそりカートリッジ。
ＨＩ．少なくとも１つのかみそり刃は、刃支持部分の両側部の間に横方向に延在し、
下部開口部は、ハンドルインターフェース部分に沿って横方向に延在する第１の長さを有し、
上部開口部は、ハンドルインターフェース部分に沿って横方向に延在する第２の長さを有し、
第１の長さは第２の長さよりも長い、段落ＨＨに記載の剃毛かみそりカートリッジ。
ＨＪ．第１の長さは約２９ｍｍ〜約３９ｍｍであり、第２の長さは約２６ｍｍ〜約３６ｍｍである、段落ＨＩに記載の剃毛かみそりカートリッジ。
ＨＫ．
本体と、
本体から延在する一対のアームと、
旋回ヘッドであって、
ホーム位置と完全旋回位置との間で旋回軸を中心として旋回ヘッドを旋回させることを容易にするために、一対のアームに旋回式に連結されたベース部材であって、
前方平面に沿って延在する前方外部表面を備える前壁と、
後方平面に沿って延在する後方外部表面を備える後壁と、を備えるベース部材と、
本体に動作可能に連結され、旋回ヘッドをホーム位置へと付勢するように構成された付勢部材と、を備える旋回ヘッドとを備え、前方平面と後方平面は夾角をなして交差する、剃毛ハンドル。
ＨＬ．夾角は約３０度〜約７０度である、段落ＨＫに記載の剃毛かみそりハンドル。
ＨＭ．夾角は約４５度〜約４８度である、段落ＨＬに記載の剃毛かみそりハンドル。
ＨＮ．前壁と後壁は、互いに対して角度をなし、一対のＶ字形溝を画定し、アームの各々は、Ｖ字形溝の間に延在し、旋回ヘッドが旋回されるときにＶ字形溝内で移動するように構成されている、段落ＨＫに記載の剃毛かみそりハンドル。
ＨＯ．前壁及び後壁から上向きに延在し、フェース表面を備えるヘッド部分を更に備える、段落ＨＫに記載の剃毛かみそりハンドル。
ＨＰ．フェース表面はアパーチャを画定する、段落ＨＯに記載の剃毛かみそりハンドル。
ＨＱ．流体リザーバを更に備え、アパーチャは流体リザーバと流体連通している、段落ＨＰに記載の剃毛かみそりハンドル。
ＨＲ．ヘッド部分は少なくとも部分的に伝導性材料から形成される、段落ＨＯに記載の剃毛かみそりハンドル。
ＨＳ．伝導性材料は加熱コントローラと電気通信する、段落ＨＲに記載の剃毛かみそりハンドル。
ＨＴ．ヘッド部分は、前方外部表面と共平面をなさないリップ表面を含む、段落ＨＯに記載の剃毛かみそりハンドル。
ＨＵ．
本体と、
本体から延在する一対のアームと、
上端部と下端部との間に延在する旋回ヘッドであって、
ホーム位置と完全旋回位置との間で旋回軸を中心として旋回ヘッドを旋回させることを容易にするために、一対のアームに旋回式に連結されたベース部材であって、
前方外部表面を備える前壁と、
後方外部表面を備える後壁と、を備えるベース部材と、
本体に動作可能に連結され、旋回ヘッドをホーム位置へと付勢するように構成された付勢部材と、を備える旋回ヘッドとを備え、
旋回ヘッドは、横方向に延在し、前壁及び後壁によって規定される、下端部における下部長さを備え、
旋回ヘッドは、横方向に延在し、前壁及び後壁によって規定される、上端部における上部長さを備え、
下端部における旋回ヘッドの下部長さは、上端部における旋回ヘッドの上部長さよりも長い、剃毛ハンドル。
ＨＶ．
下部長さは約２５ｍｍ〜約５５ｍｍであり、
上部長さは約２０ｍｍ〜約４０ｍｍである、段落ＨＵに記載の剃毛かみそりハンドル。
ＨＷ．
下部長さは約３５ｍｍであり、
上部長さは約３０ｍｍである、段落ＨＶに記載の剃毛かみそりハンドル。
ＨＸ．前壁と後壁は、互いに対して角度をなし、一対のＶ字形溝を画定し、アームの各々は、Ｖ字形溝の間に延在し、旋回ヘッドが旋回されるときにＶ字形溝内で移動するように構成されている、段落ＨＵに記載の剃毛かみそりハンドル。
ＨＹ．前壁及び後壁から上向きに延在し、フェース表面を備えるヘッド部分を更に備える、段落ＨＵに記載の剃毛かみそりハンドル。
ＨＺ．フェース表面はアパーチャを画定する、段落ＨＹに記載の剃毛かみそりハンドル。
ＩＡ．流体リザーバを更に備え、アパーチャは流体リザーバと流体連通している、段落ＨＺに記載の剃毛かみそりハンドル。
ＩＢ．ヘッド部分は少なくとも部分的に伝導性材料から形成される、段落ＨＹに記載の剃毛かみそりハンドル。
ＩＣ．伝導性材料は加熱コントローラと電気通信する、段落ＩＢに記載の剃毛かみそりハンドル。
ＩＤ．ヘッド部分は、前方外部表面と共平面をなさないリップ表面を含む、段落ＨＹに記載の剃毛かみそりハンドル。
ＩＥ．
本体と、
本体から延在する一対のアームと、
上端部と下端部との間に延在する旋回ヘッドであって、
ホーム位置と完全旋回位置との間で旋回軸を中心として旋回ヘッドを旋回させることを容易にするために、一対のアームに旋回式に連結されたベース部材であって、
前方外部表面を備える前壁と、
後方外部表面を備える後壁と、を備えるベース部材と、
本体に動作可能に連結され、旋回ヘッドをホーム位置へと付勢するように構成された付勢部材と、を備える旋回ヘッドとを備え、
旋回ヘッドは、長手方向に延在し、前壁及び後壁によって規定される、下端部における下部幅を備え、
旋回ヘッドは、長手方向に延在し、前壁及び後壁によって規定される、上端部における上部幅を備え、
下端部における旋回ヘッドの下部幅は、上端部における旋回ヘッドの上部幅よりも広い、剃毛ハンドル。
ＩＦ．
下部幅は約３ｍｍ〜約８ｍｍであり、
上部幅は、約１ｍｍ〜約６ｍｍである、段落ＩＥに記載の剃毛かみそりハンドル。
ＩＧ．
下部幅は約３．９ｍｍであり、
上部幅は約３．４ｍｍである、段落ＩＦに記載の剃毛かみそりハンドル。
ＩＨ．前壁と後壁は、互いに対して角度をなし、一対のＶ字形溝を画定し、アームの各々は、Ｖ字形溝の間に延在し、旋回ヘッドが旋回されるときにＶ字形溝内で移動するように構成されている、段落ＩＥに記載の剃毛かみそりハンドル。
ＩＩ．前壁及び後壁から上向きに延在し、フェース表面を備えるヘッド部分を更に備える、段落ＩＥに記載の剃毛かみそりハンドル。
ＩＪ．フェース表面はアパーチャを画定する、段落ＩＩに記載の剃毛かみそりハンドル。
ＩＫ．流体リザーバを更に備え、アパーチャは流体リザーバと流体連通している、段落ＩＪに記載の剃毛かみそりハンドル。
ＩＬ．ヘッド部分は少なくとも部分的に伝導性材料から形成される、段落ＩＩに記載の剃毛かみそりハンドル。
ＩＭ．伝導性材料は加熱コントローラと電気通信する、段落ＩＬに記載の剃毛かみそりハンドル。
ＩＮ．ヘッド部分は、前方外部表面と共平面をなさないリップ表面を含む、段落ＩＩに記載の剃毛かみそりハンドル。
ＩＯ．
本体と、
本体から延在し、第１のピンを備える第１のアームと、
本体から延在し、第２のピンを備える第２のアームであって、第１のピン及び第２のピンは旋回軸を規定する、第２のアームと、
上端部と下端部との間に延在する旋回ヘッドであって、
ホーム位置と完全旋回位置との間で旋回軸を中心として旋回ヘッドを旋回させることを容易にするために、第１のピン及び第２のピンに旋回式に連結されたベース部材であって、
前方外部表面を備える前壁と、
後方外部表面と、中央部分と、第１のタブ部材と、第２のタブ部材とを備える後壁であって、第１のタブ部材及び第２のタブ部材の各々は、中央部分の両端に配設され、中央部分に対して長手方向に突出している、後壁と、を備えるベース部材と、
本体に動作可能に連結され、旋回ヘッドをホーム位置へと付勢するように構成された付勢部材と、を備える旋回ヘッドとを備え、
第１のピンは第１のタブ部材内に配設され、
第２のピンは第２のタブ部材内に配設される、剃毛ハンドル。
ＩＰ．
後壁の中央部分は第１の厚さを備え、
第１のタブ部材は第２の厚さを備え、
第１の厚さは第２の厚さよりも厚い、段落ＩＯに記載の剃毛かみそりカートリッジ。
ＩＱ．第１の厚さと第２の厚さとの比が約３：１〜約３：２である、段落ＩＰに記載の剃毛かみそりハンドル。
ＩＲ．第１の厚さは約０．７５ｍｍ〜約３ｍｍであり、第２の厚さは約０．５ｍｍ〜約１ｍｍである、段落ＩＱに記載の剃毛かみそりハンドル。
ＩＳ．第１の厚さは約１ｍｍであり、第２の厚さは約０．７５ｍｍである、段落ＩＲに記載の剃毛かみそりハンドル。
ＩＴ．第２のタブ部材は第３の厚さを備え、第２の厚さと第３の厚さは実質的に同じである、段落ＩＰに記載の剃毛かみそりハンドル。
ＩＵ．
旋回ヘッドは、横方向に延在し、前壁及び後壁によって規定される、下端部における下部長さを備え、
旋回ヘッドは、横方向に延在し、前壁及び後壁によって規定される、上端部における上部長さを備え、
下端部における旋回ヘッドの下部長さは、上端部における旋回ヘッドの上部長さよりも長い、段落ＩＯに記載の剃毛かみそりハンドル。
ＩＶ．
下部長さは約２５ｍｍ〜約５５ｍｍであり、
上部長さは約２０ｍｍ〜約４０ｍｍである、段落ＩＵに記載の剃毛かみそりハンドル。
ＩＷ．
下部長さは約３５ｍｍであり、
上部長さは約３０ｍｍである、段落ＩＶに記載の剃毛かみそりハンドル。
ＩＸ．
旋回ヘッドは、長手方向に延在し、前壁及び後壁によって規定される、下端部における下部幅を備え、
旋回ヘッドは、長手方向に延在し、前壁及び後壁によって規定される、上端部における上部幅を備え、
下端部における旋回ヘッドの下部幅は、上端部における旋回ヘッドの上部幅よりも広い、段落ＩＯに記載の剃毛かみそりハンドル。
ＩＹ．
下部幅は約３ｍｍ〜約８ｍｍであり、
上部幅は、約１ｍｍ〜約６ｍｍである、段落ＩＸに記載の剃毛かみそりハンドル。
ＩＺ．
下部幅は約３．９ｍｍであり、
上部幅は約３．４ｍｍである、段落ＩＹに記載の剃毛かみそりハンドル。
ＪＡ．
本体と、
本体から延在する第１のアームと、
本体から延在する第２のアームと、
上端部と下端部との間に延在する旋回ヘッドであって、
ホーム位置と完全旋回位置との間で旋回軸を中心として旋回ヘッドを旋回させることを容易にするために、第１のアーム及び第２のアームに旋回式に連結されたベース部材であって、
前方外部表面を備える前壁と、
後方外部表面と、中央部分と、第１のタブ部材と、第２のタブ部材とを備える後壁であって、第１のタブ部材及び第２のタブ部材の各々は、中央部分の両端に配設されている、後壁と、を備えるベース部材と、
本体に動作可能に連結され、旋回ヘッドをホーム位置へと付勢するように構成された付勢部材と、を備える旋回ヘッドとを備え、
後壁の中央部分は第１の厚さを備え、
第１のタブ部材は第２の厚さを備え、
第１の厚さは第２の厚さよりも厚い、剃毛ハンドル。
ＪＢ．第１の厚さと第２の厚さとの比が約３：１〜約３：２である、段落ＪＡに記載の剃毛かみそりハンドル。
ＪＣ．第１の厚さは約０．７５ｍｍ〜約３ｍｍであり、第２の厚さは約０．５ｍｍ〜約１ｍｍである、段落ＪＢに記載の剃毛かみそりハンドル。
ＪＤ．第１の厚さは約１ｍｍであり、第２の厚さは約０．７５ｍｍである、段落ＪＣに記載の剃毛かみそりハンドル。
ＪＥ．第２のタブ部材は第３の厚さを備え、第２の厚さと第３の厚さは実質的に同じである、段落ＪＡに記載の剃毛かみそりハンドル。
ＪＦ．
旋回ヘッドは、横方向に延在し、前壁及び後壁によって規定される、下端部における下部長さを備え、
旋回ヘッドは、横方向に延在し、前壁及び後壁によって規定される、上端部における上部長さを備え、
下端部における旋回ヘッドの下部長さは、上端部における旋回ヘッドの上部長さよりも長い、段落ＪＡに記載の剃毛かみそりハンドル。
ＪＧ．
下部長さは約２５ｍｍ〜約５５ｍｍであり、
上部長さは約２０ｍｍ〜約４０ｍｍである、段落ＪＦに記載の剃毛かみそりハンドル。
ＪＨ．
下部長さは約３５ｍｍであり、
上部長さは約３０ｍｍである、段落ＪＧに記載の剃毛かみそりハンドル。
ＪＩ．
旋回ヘッドは、長手方向に延在し、前壁及び後壁によって規定される、下端部における下部幅を備え、
旋回ヘッドは、長手方向に延在し、前壁及び後壁によって規定される、上端部における上部幅を備え、
下端部における旋回ヘッドの下部幅は、上端部における旋回ヘッドの上部幅よりも広い、段落ＪＡに記載の剃毛かみそりハンドル。
ＪＪ．
下部幅は約３ｍｍ〜約８ｍｍであり、
上部幅は、約１ｍｍ〜約６ｍｍである、段落ＪＩに記載の剃毛かみそりハンドル。
ＪＫ．
下部幅は約３．９ｍｍであり、
上部幅は約３．４ｍｍである、段落ＪＪに記載の剃毛かみそりハンドル。
ＪＬ．
本体と、
本体から延在する一対のアームと、
上端部と下端部との間に延在する旋回ヘッドであって、
ホーム位置と完全旋回位置との間で旋回軸を中心として旋回ヘッドを旋回させることを容易にするために、一対のアームに旋回式に連結されたベース部材であって、
前方外部表面を備える前壁と、
後方外部表面を備える後壁と、
前壁及び後壁から上向きに延在し、外部リップ表面とフェース表面とを備えるヘッド部分と、を備えるベース部材と、
本体に動作可能に連結され、旋回ヘッドをホーム位置へと付勢するように構成された付勢部材と、
前壁と、後壁と、ヘッド部分との間で横方向に延在する一対のショルダ部分であって、ヘッド部分の両側にそれぞれ配設され、ショルダ部分の各々は、前方外部表面、後方外部表面、及び外部リップ表面の各々の一部分とインターフェースするショルダ表面を備える、一対のショルダ部分と、を備える旋回ヘッドと、を備える剃毛ハンドル。
ＪＭ．フェース表面はアパーチャを画定する、段落ＪＬに記載の剃毛かみそりハンドル。
ＪＮ．流体リザーバを更に備え、アパーチャは流体リザーバと流体連通している、段落ＪＭに記載の剃毛かみそりハンドル。
ＪＯ．ヘッド部分は少なくとも部分的に伝導性材料から形成される、段落ＪＬに記載の剃毛かみそりハンドル。
ＪＰ．伝導性材料は加熱コントローラと電気通信する、段落ＪＯに記載の剃毛かみそりハンドル。
ＪＱ．外部リップ表面は、前方外部表面と共平面をなさない、段落ＪＰに記載の剃毛かみそりハンドル。
ＪＲ．ヘッド部分は、ショルダ表面から測定された、約０．５ｍｍ〜約２ｍｍの第１の垂直高さを備える、段落ＪＬに記載の剃毛かみそりハンドル。
ＪＳ．第１の垂直高さは約０．９ｍｍである、段落ＪＲに記載の剃毛かみそりハンドル。
ＪＴ．前壁は、約１．５ｍｍ〜約５ｍｍの第２の垂直高さを備える、段落ＪＳに記載の剃毛かみそりハンドル。
ＪＵ．第２の垂直高さは約３．１ｍｍである、段落ＪＴに記載の剃毛かみそりハンドル。
ＪＶ．後壁は、約５．５ｍｍ〜約１２ｍｍの第３の垂直高さを備える、段落ＪＵに記載の剃毛かみそりハンドル。
ＪＷ．第３の垂直高さは約８ｍｍである、段落ＪＶに記載の剃毛かみそりハンドル。
ＪＸ．
旋回ヘッドは、横方向に延在し、前壁及び後壁によって規定される、下端部における下部長さを備え、
旋回ヘッドは、横方向に延在し、前壁及び後壁によって規定される、上端部における上部長さを備え、
下端部における旋回ヘッドの下部長さは、上端部における旋回ヘッドの上部長さよりも長い、段落ＪＬに記載の剃毛かみそりハンドル。
ＪＹ．
下部長さは約２５ｍｍ〜約５５ｍｍであり、
上部長さは約２０ｍｍ〜約４０ｍｍである、段落ＪＸに記載の剃毛かみそりハンドル。
ＪＺ．
下部長さは約３５ｍｍであり、
上部長さは約３０ｍｍである、段落ＪＹに記載の剃毛かみそりハンドル。
ＫＡ．
旋回ヘッドは、長手方向に延在し、前壁及び後壁によって規定される、下端部における下部幅を備え、
旋回ヘッドは、長手方向に延在し、前壁及び後壁によって規定される、上端部における上部幅を備え、
下端部における旋回ヘッドの下部幅は、上端部における旋回ヘッドの上部幅よりも広い、段落ＪＬに記載の剃毛かみそりハンドル。
ＫＢ．
下部幅は約３ｍｍ〜約８ｍｍであり、
上部幅は、約１ｍｍ〜約６ｍｍである、段落ＫＡに記載の剃毛かみそりハンドル。
ＫＣ．
下部幅は約３．９ｍｍであり、
上部幅は約３．４ｍｍである、段落ＫＢに記載の剃毛かみそりハンドル。
ＫＤ．
本体と、
本体から延在する一対のアームと、
上端部と下端部との間に延在する旋回ヘッドであって、
ホーム位置と完全旋回位置との間で旋回軸を中心として旋回ヘッドを旋回させることを容易にするために、一対のアームに旋回式に連結されたベース部材であって、
前壁と、
後壁と、
前壁及び後壁から上向きに延在し、外部リップ表面とフェース表面とを備えるヘッド部分と、を備えるベース部材と、
本体に動作可能に連結され、旋回ヘッドをホーム位置へと付勢するように構成された付勢部材と、を備える旋回ヘッドとを備え、
外部リップ表面は、前方外部表面と共平面をなさず、
ヘッド部分は、約０．５ｍｍ〜約２ｍｍの第１の垂直高さを備える、剃毛ハンドル。
ＫＥ．第１の垂直高さは約０．９ｍｍである、段落ＫＤに記載の剃毛かみそりハンドル。
ＫＦ．前壁は、約１．５ｍｍ〜約５ｍｍの第２の垂直高さを備える、段落ＫＥに記載の剃毛かみそりハンドル。
ＫＧ．第２の垂直高さは約３．１ｍｍである、段落ＫＦに記載の剃毛かみそりハンドル。
ＫＨ．後壁は、約５．５ｍｍ〜約１２ｍｍの第３の垂直高さを備える、段落ＫＧに記載の剃毛かみそりハンドル。
ＫＩ．第３の垂直高さは約８ｍｍである、段落ＫＨに記載の剃毛かみそりハンドル。
ＫＪ．
旋回ヘッドは、横方向に延在し、前壁及び後壁によって規定される、下端部における下部長さを備え、
旋回ヘッドは、横方向に延在し、前壁及び後壁によって規定される、上端部における上部長さを備え、
下端部における旋回ヘッドの下部長さは、上端部における旋回ヘッドの上部長さよりも長い、段落ＫＤに記載の剃毛かみそりハンドル。
ＫＫ．
下部長さは約２５ｍｍ〜約５５ｍｍであり、
上部長さは約２０ｍｍ〜約４０ｍｍである、段落ＫＪに記載の剃毛かみそりハンドル。
ＫＬ．
下部長さは約３５ｍｍであり、
上部長さは約３０ｍｍである、段落ＫＫに記載の剃毛かみそりハンドル。
ＫＭ．
旋回ヘッドは、長手方向に延在し、前壁及び後壁によって規定される、下端部における下部幅を備え、
旋回ヘッドは、長手方向に延在し、前壁及び後壁によって規定される、上端部における上部幅を備え、
下端部における旋回ヘッドの下部幅は、上端部における旋回ヘッドの上部幅よりも広い、段落ＫＤに記載の剃毛かみそりハンドル。
ＫＮ．
下部幅は約３ｍｍ〜約８ｍｍであり、
上部幅は、約１ｍｍ〜約６ｍｍである、段落ＫＭに記載の剃毛かみそりハンドル。
ＫＯ．
下部幅は約３．９ｍｍであり、
上部幅は約３．４ｍｍである、段落ＫＮに記載の剃毛かみそりハンドル。
ＫＰ．前壁と後壁は、互いに対して角度をなし、一対のＶ字形溝を画定し、アームの各々は、Ｖ字形溝の間に延在し、旋回ヘッドが旋回されるときにＶ字形溝内で移動するように構成されている、段落ＫＤに記載の剃毛かみそりハンドル。
ＫＱ．フェース表面はアパーチャを画定する、段落ＫＤに記載の剃毛かみそりハンドル。
ＫＲ．流体リザーバを更に備え、アパーチャは流体リザーバと流体連通している、段落ＫＱに記載の剃毛かみそりハンドル。
ＫＳ．ヘッド部分は少なくとも部分的に伝導性材料から形成される、段落ＫＤに記載の剃毛かみそりハンドル。
ＫＴ．伝導性材料は加熱コントローラと電気通信する、段落ＫＳに記載の剃毛かみそりハンドル。
ＫＵ．
本体と、
本体から延在する一対のアームと、
上端部と下端部との間に延在する旋回ヘッドであって、
ホーム位置と完全旋回位置との間で旋回軸を中心として旋回ヘッドを旋回させることを容易にするために、一対のアームに旋回式に連結されたベース部材であって、
第１の垂直高さを備える前壁と、
第２の垂直高さを備える後壁と、を備えるベース部材と、
本体に動作可能に連結され、旋回ヘッドをホーム位置へと付勢するように構成された付勢部材と、を備える旋回ヘッドとを備え、第１の垂直高さは第２の垂直高さよりも低い、剃毛ハンドル。
ＫＶ．前壁と後壁は、互いに対して角度をなし、一対のＶ字形溝を画定し、アームの各々は、Ｖ字形溝の間に延在し、旋回ヘッドが旋回されるときにＶ字形溝内で移動するように構成されている、段落ＫＵに記載の剃毛かみそりハンドル。
ＫＷ．第１の垂直高さは約１．５ｍｍ〜約５ｍｍである、段落ＫＵに記載の剃毛かみそりハンドル。
ＫＸ．第１の垂直高さは約３．１ｍｍである、段落ＫＷに記載の剃毛かみそりハンドル。
ＫＹ．第２の垂直高さは約５．５ｍｍ〜約１２ｍｍである、段落ＫＸに記載の剃毛かみそりハンドル。
ＫＺ．第３の垂直高さは約８ｍｍである、段落ＫＹに記載の剃毛かみそりハンドル。
ＬＡ．
旋回ヘッドは、横方向に延在し、前壁及び後壁によって規定される、下端部における下部長さを備え、
旋回ヘッドは、横方向に延在し、前壁及び後壁によって規定される、上端部における上部長さを備え、
下端部における旋回ヘッドの下部長さは、上端部における旋回ヘッドの上部長さよりも長い、段落ＫＵに記載の剃毛かみそりハンドル。
ＬＢ．
下部長さは約２５ｍｍ〜約５５ｍｍであり、
上部長さは約２０ｍｍ〜約４０ｍｍである、段落ＬＡに記載の剃毛かみそりハンドル。
ＬＣ．
下部長さは約３５ｍｍであり、
上部長さは約３０ｍｍである、段落ＬＢに記載の剃毛かみそりハンドル。
ＬＤ．
旋回ヘッドは、長手方向に延在し、前壁及び後壁によって規定される、下端部における下部幅を備え、
旋回ヘッドは、長手方向に延在し、前壁及び後壁によって規定される、上端部における上部幅を備え、
下端部における旋回ヘッドの下部幅は、上端部における旋回ヘッドの上部幅よりも広い、段落ＫＵに記載の剃毛かみそりハンドル。
ＬＥ．
下部幅は約３ｍｍ〜約８ｍｍであり、
上部幅は、約１ｍｍ〜約６ｍｍである、段落ＬＤに記載の剃毛かみそりハンドル。
ＬＦ．
下部幅は約３．９ｍｍであり、
上部幅は約３．４ｍｍである、段落ＬＥに記載の剃毛かみそりハンドル。
ＬＧ．前壁と後壁は、互いに対して角度をなし、一対のＶ字形溝を画定し、アームの各々は、Ｖ字形溝の間に延在し、旋回ヘッドが旋回されるときにＶ字形溝内で移動するように構成されている、段落ＫＵに記載の剃毛かみそりハンドル。
ＬＨ．フェース表面はアパーチャを画定する、段落ＫＵに記載の剃毛かみそりハンドル。
ＬＩ．流体リザーバを更に備え、アパーチャは流体リザーバと流体連通している、段落ＬＨの剃毛かみそりハンドル。
ＬＪ．ヘッド部分は少なくとも部分的に伝導性材料から形成される、段落ＫＵに記載の剃毛かみそりハンドル。
ＬＫ．伝導性材料は加熱コントローラと電気通信する、段落ＬＪに記載の剃毛かみそりハンドル。
ＬＬ．
剃毛かみそりカートリッジであって、
前端部と後端部との間に延在するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁であって、内部表面は前方平面に沿って延在する前壁と、
下部表面と内部表面とを備える後壁であって、内部表面は後方平面に沿って延在する後壁と、を備えるハンドルインターフェース部分と、を備えるハウジングと、
キャップとガードとの間の刃支持部分内に配設された少なくとも１つのかみそり刃と、を備え、
下部表面は下部開口部を画定するように協働し、
前壁と後壁は、内部表面が協働して、下部開口部へと延在するハンドルレセプタクルを少なくとも部分的に画定するように、互いに離間されており、
後壁は、前壁よりも刃支持部分に近接しており、
前方平面と後方平面は、第１の夾角をなして交差する、少なくとも１つのかみそり刃と、を備える剃毛かみそりカートリッジと、
剃毛ハンドルであって、
本体と、
本体から延在する一対のアームと、
ハンドルレセプタクルに選択的に挿入されるように構成された旋回ヘッドであって、
ホーム位置と完全旋回位置との間で旋回軸を中心として旋回ヘッドを旋回させることを容易にするために、一対のアームに旋回式に連結されたベース部材であって、
前方平面に沿って延在する前方外部表面を備える前壁と、
後方平面に沿って延在する後方外部表面を備える後壁と、を備えるベース部材と、    本体に動作可能に連結され、旋回ヘッドをホーム位置へと付勢するように構成された付勢部材と、を備える旋回ヘッドとを備え、前方平面と後方平面は第２の夾角をなして交差する、剃毛ハンドルと、を備える、剃毛システム。
ＬＭ．第１及び第２の夾角はそれぞれ約３０度〜約７０度である、段落ＬＬに記載の剃毛システム。
ＬＮ．第１及び第２の夾角はそれぞれ約４５度〜約４８度である、段落ＬＭに記載の剃毛システム。
ＬＯ．ハンドルの前壁と後壁は、互いに対して角度をなし、一対のＶ字形溝を画定し、アームの各々は、Ｖ字形溝の間に延在し、旋回ヘッドが旋回されるときにＶ字形溝内で移動するように構成されている、段落ＬＬに記載の剃毛システム。
ＬＰ．剃毛かみそりカートリッジであって、
前端部と後端部との間に延在するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁と、
下部表面と内部表面とを備える後壁と、
上部開口部を画定する上部表面と、を備えるハンドルインターフェース部分と、を備えるハウジングと、
キャップとガードとの間の刃支持部分内に配設された少なくとも１つのかみそり刃であって、刃支持部分の両側部の間に横方向に延在する、少なくとも１つのかみそり刃と、を備え、
下部表面は下部開口部を画定するように協働し、
前壁と後壁は、内部表面が協働して、上部開口部と下部開口部との間に延在するハンドルレセプタクルを少なくとも部分的に画定するように、互いに離間されており、
上部開口部は、下部開口部よりも剃毛平面に近接しており、
下部開口部は、ハンドルインターフェース部分に沿って横方向に延在する第１の長さを有し、
上部開口部は、ハンドルインターフェース部分に沿って横方向に延在する第２の長さを有し、
第１の長さは第２の長さよりも長い、剃毛かみそりカートリッジと、
ハンドルであって、
本体と、
本体から延在する一対のアームと、
上端部と下端部との間に延在する旋回ヘッドであって、カートリッジのハンドルレセプタクル内に選択的に導入されるように構成されており、
ホーム位置と完全旋回位置との間で旋回軸を中心として旋回ヘッドを旋回させることを容易にするために、一対のアームに旋回式に連結されたベース部材であって、
前方外部表面を備える前壁と、
後方外部表面を備える後壁と、を備えるベース部材と、
本体に動作可能に連結され、旋回ヘッドをホーム位置へと付勢するように構成された付勢部材と、を備える旋回ヘッドとを備え、
旋回ヘッドは、横方向に延在し、前壁及び後壁によって規定される、下端部における下部長さを備え、
旋回ヘッドは、横方向に延在し、前壁及び後壁によって規定される、上端部における上部長さを備え、
下端部における旋回ヘッドの下部長さは、上端部における旋回ヘッドの上部長さよりも長い、ハンドルと、を備える、剃毛システム。
ＬＱ．
下部長さは約２５ｍｍ〜約５５ｍｍであり、
上部長さは約２０ｍｍ〜約４０ｍｍである、段落ＬＰに記載の剃毛システム。
ＬＲ．
下部長さは約３５ｍｍであり、
上部長さは約３０ｍｍである、段落ＬＱに記載の剃毛システム。
ＬＳ．旋回ヘッドの前壁と後壁は、互いに対して角度をなし、一対のＶ字形溝を画定し、アームの各々は、Ｖ字形溝の間に延在し、旋回ヘッドが旋回されるときにＶ字形溝内で移動するように構成されている、段落ＬＰに記載の剃毛システム。
ＬＴ．旋回ヘッドは、旋回ヘッドの前壁及び後壁から上向きに延在するヘッド部分を更に備え、旋回部材がハンドルレセプタクルの中に導入されるときに上部開口部の中へと延在するように構成され、ヘッド部分はフェース表面を備える、段落ＬＰに記載の剃毛システム。
ＬＵ．フェース表面はアパーチャを画定する、段落ＬＴに記載の剃毛システム。
ＬＶ．流体リザーバを更に備え、アパーチャは流体リザーバと流体連通している、段落ＬＵに記載の剃毛システム。
ＬＷ．ヘッド部分は少なくとも部分的に伝導性材料から形成される、段落ＬＴに記載の剃毛システム。
ＬＸ．伝導性材料は加熱コントローラと電気通信する、段落ＬＷに記載の剃毛システム。
ＬＹ．
剃毛かみそりカートリッジであって、
前端部と後端部との間に延在し、ある全幅を規定するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁と、
下部表面と、中央部分と、第１の遠位部分と、第２の遠位部分と、を備える後壁と、を備えるハンドルインターフェース部分と、を備えるハウジングと、
キャップとガードとの間の刃支持部分内に配設された少なくとも１つのかみそり刃と、を備え、
第１の遠位部分及び第２の遠位部分の各々が中央部分から延在し、ノッチを画定し、    中央部分、並びに第１の遠位部分及び第２の遠位部分の各々は、それぞれの内部表面を備え、
下部表面は下部開口部を画定するように協働し、
前壁と後壁は、内部表面が協働して、下部開口部へと延在するハンドルレセプタクルを少なくとも部分的に画定するように、互いに離間されている、剃毛かみそりカートリッジと、
剃毛ハンドルであって、
本体と、
本体から延在し、第１のピンを備える第１のアームと、
本体から延在し、第２のピンを備える第２のアームであって、第１のピン及び第２のピンは旋回軸を規定する、第２のアームと、
上端部と下端部との間に延在する旋回ヘッドであって、ハンドルレセプタクル内に選択的に導入されるように構成されており、
ホーム位置と完全旋回位置との間で旋回軸を中心として旋回ヘッドを旋回させることを容易にするために、第１のピン及び第２のピンに旋回式に連結されたベース部材であって、
前方外部表面を備える前壁と、
後方外部表面と、中央部分と、第１のタブ部材と、第２のタブ部材とを備える後壁であって、第１のタブ部材及び第２のタブ部材の各々は、中央部分の両端に配設され、中央部分に対して長手方向に突出している、後壁と、を備えるベース部材と、
本体に動作可能に連結され、旋回ヘッドをホーム位置へと付勢するように構成された付勢部材と、を備える旋回ヘッドとを備え、
第１のピンは第１のタブ部材内に配設され、
第２のピンは第２のタブ部材内に配設され、
旋回ヘッドがハンドルレセプタクルの中に導入されるとき、第１のタブ部材及び第２のタブ部材は、ノッチのうちの対応する１つの中へと延在する、剃毛ハンドルと、を備える、剃毛システム。
ＬＺ．
旋回ヘッドは、横方向に延在し、前壁及び後壁によって規定される、下端部における下部長さを備え、
旋回ヘッドは、横方向に延在し、前壁及び後壁によって規定される、上端部における上部長さを備え、
下端部における旋回ヘッドの下部長さは、上端部における旋回ヘッドの上部長さよりも長い、段落ＬＹに記載の剃毛システムハンドル。
ＰＡ．
下部長さは約２５ｍｍ〜約５５ｍｍであり、
上部長さは約２０ｍｍ〜約４０ｍｍである、段落ＬＺに記載の剃毛システムハンドル。
ＰＢ．
下部長さは約３５ｍｍであり、
上部長さは約３０ｍｍである、段落ＰＡに記載の剃毛システムハンドル。
ＰＣ．
旋回ヘッドは、長手方向に延在し、前壁及び後壁によって規定される、下端部における下部幅を備え、
旋回ヘッドは、長手方向に延在し、前壁及び後壁によって規定される、上端部における上部幅を備え、
下端部における旋回ヘッドの下部幅は、上端部における旋回ヘッドの上部幅よりも広い、段落ＬＹに記載の剃毛システムハンドル。
ＰＤ．
下部幅は約３ｍｍ〜約８ｍｍであり、
上部幅は、約１ｍｍ〜約６ｍｍである、段落ＰＣに記載の剃毛システムハンドル。
ＰＥ．
下部幅は約３．９ｍｍであり、
上部幅は約３．４ｍｍである、段落ＰＤに記載の剃毛システムハンドル。
ＰＦ．
剃毛かみそりカートリッジであって、
前端部と後端部との間に延在するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁と、
下部表面と内部表面とを備える後壁と、
前壁と後壁との間に延在し、下部表面と内部表面とを備える第１の側壁と、
前壁と後壁との間に延在し、下部表面と内部表面とを備える第２の側壁と、
上部開口部を画定する上部表面と、
第１の内部ショルダ表面を備え、前壁、後壁、及び第１の側壁のうちの少なくとも１つから横方向に延在する第１のショルダ部分であって、第１のショルダ部分が延出する前壁、後壁、及び第１の側壁の各々の内部表面が、第１の境界面において第１の内部ショルダ表面と会合するようになっている、第１のショルダ部分と、を備えるハンドルインターフェース部分と、を備えるハウジングと、
キャップとガードとの間の刃支持部分内に配設された少なくとも１つのかみそり刃と、を備え、
下部表面は下部開口部を画定するように協働し、
第１の側壁と第２の側壁は互いに離間されており、前壁と後壁は互いに離間されており、それにより、前壁、後壁、第１の側壁、及び第２の側壁のそれぞれの内部表面は、上部開口部と下部開口部との間に延在するハンドルレセプタクルを画定するように協働し、    前壁と、後壁と、第１の側壁と、第２の側壁とは、第１の境界面に沿って延在する第１の外周を画定するように協働し、
第１のショルダ部分は上部表面へと延在し、
上部開口部は第２の外周を画定し、
第１の外周は第２の外周よりも長い、剃毛かみそりカートリッジと、
剃毛ハンドルであって、
本体と、
本体から延在する一対のアームと、
上端部と下端部との間に延在する旋回ヘッドであって、ハンドルレセプタクル内に選択的に導入されるように構成されており、
ホーム位置と完全旋回位置との間で旋回軸を中心として旋回ヘッドを旋回させることを容易にするために、一対のアームに旋回式に連結されたベース部材であって、
前方外部表面を備える前壁と、
後方外部表面を備える後壁と、
前壁及び後壁から上向きに延在し、外部リップ表面とフェース表面とを備えるヘッド部分と、を備えるベース部材と、
本体に動作可能に連結され、旋回ヘッドをホーム位置へと付勢するように構成された付勢部材と、
前壁と、後壁と、ヘッド部分との間で横方向に延在する一対のショルダ部分であって、ヘッド部分の両にそれぞれ配設され、ショルダ部分の各々は、前方外部表面、後方外部表面、及び外部リップ表面の各々の一部分とインターフェースするショルダ表面を備える、一対のショルダ部分と、を備える旋回ヘッドと、を備え、旋回ヘッドの第１及び第２のショルダ部分は、旋回ヘッドがハンドルレセプタクルの中に導入されるときに、旋回ヘッドのショルダ部分とインターフェースする、剃毛ハンドルと、を備える、剃毛システム。
ＰＧ．フェース表面はアパーチャを画定する、段落ＰＦに記載の剃毛システム。
ＰＨ．流体リザーバを更に備え、アパーチャは流体リザーバと流体連通している、段落ＰＧの剃毛システム。
ＰＩ．ヘッド部分は少なくとも部分的に伝導性材料から形成される、段落ＰＦに記載の剃毛システム。
ＰＪ．伝導性材料は加熱コントローラと電気通信する、段落ＰＩに記載の剃毛システム。
ＰＫ．外部リップ表面は、前方外部表面と共平面をなさない、段落ＰＪに記載の剃毛システム。
ＰＬ．ヘッド部分は、ショルダ表面から測定された、約０．５ｍｍ〜約２ｍｍの第１の垂直高さを備える、段落ＰＦに記載の剃毛システム。
ＰＭ．第１の垂直高さは約０．９ｍｍである、段落ＰＬに記載の剃毛システム。
ＰＮ．前壁は、約１．５ｍｍ〜約５ｍｍの第２の垂直高さを備える、段落ＰＭに記載の剃毛システム。
ＰＯ．第２の垂直高さは約３．１ｍｍである、段落ＰＮに記載の剃毛システム。
ＰＰ．後壁は、約５．５ｍｍ〜約１２ｍｍの第３の垂直高さを備える、段落ＰＯに記載の剃毛システム。
ＰＱ．第３の垂直高さは約８ｍｍである、段落ＰＰに記載の剃毛システム。
ＰＲ．
旋回ヘッドは、横方向に延在し、前壁及び後壁によって規定される、下端部における下部長さを備え、
旋回ヘッドは、横方向に延在し、前壁及び後壁によって規定される、上端部における上部長さを備え、
下端部における旋回ヘッドの下部長さは、上端部における旋回ヘッドの上部長さよりも長い、段落ＰＦに記載の剃毛システム。
ＰＳ．
下部長さは約２５ｍｍ〜約５５ｍｍであり、
上部長さは約２０ｍｍ〜約４０ｍｍである、段落ＰＲに記載の剃毛システム。
ＰＴ．
下部長さは約３５ｍｍであり、
上部長さは約３０ｍｍである、段落ＰＳに記載の剃毛システム。
ＰＵ．
旋回ヘッドは、長手方向に延在し、前壁及び後壁によって規定される、下端部における下部幅を備え、
旋回ヘッドは、長手方向に延在し、前壁及び後壁によって規定される、上端部における上部幅を備え、
下端部における旋回ヘッドの下部幅は、上端部における旋回ヘッドの上部幅よりも広い、段落ＰＦに記載の剃毛システム。
ＰＶ．
下部幅は約３ｍｍ〜約８ｍｍであり、
上部幅は、約１ｍｍ〜約６ｍｍである、段落ＰＵに記載の剃毛システム。
ＰＷ．
下部幅は約３．９ｍｍであり、
上部幅は約３．４ｍｍである、段落ＰＶに記載の剃毛システム。
ＰＸ．
剃毛かみそりカートリッジであって、
前端部と後端部との間に延在するハウジングであって、
前端部と後端部との間に配置された刃支持部分であって、
キャップと、
キャップから離間されており、キャップと協働して剃毛平面を規定するガードと、を備える刃支持部分と、
前端部と後端部との間に配置されたハンドルインターフェース部分であって、
下部表面と内部表面とを備える前壁と、
下部表面と内部表面とを備える後壁と、
前壁と後壁との間に延在し、下部表面と内部表面とを備える第１の側壁と、
前壁と後壁との間に延在し、下部表面と内部表面とを備える第２の側壁と、
上部開口部を画定する上部表面と、
第１の内部ショルダ表面を備え、前壁、後壁、及び第１の側壁のうちの少なくとも１つから横方向に延在する第１のショルダ部分であって、第１のショルダ部分が延出する前壁、後壁、及び第１の側壁の各々の内部表面が、第１の境界面において第１の内部ショルダ表面と会合するようになっている、第１のショルダ部分と、を備えるハンドルインターフェース部分と、を備えるハウジングと、
キャップとガードとの間の刃支持部分内に配設された少なくとも１つのかみそり刃と、を備え、
下部表面は下部開口部を画定するように協働し、
第１の側壁と第２の側壁は互いに離間されており、前壁と後壁は互いに離間されており、それにより、前壁、後壁、第１の側壁、及び第２の側壁のそれぞれの内部表面は、上部開口部と下部開口部との間に延在するハンドルレセプタクルを画定するように協働し、    第１のショルダ部分は上部表面へと延在し、
第１のショルダ表面は第１の垂直距離だけ上部表面から離間されている、剃毛かみそりカートリッジと、
剃毛ハンドルであって、
本体と、
本体から延在する一対のアームと、
上端部と下端部との間に延在する旋回ヘッドであって、
ホーム位置と完全旋回位置との間で旋回軸を中心として旋回ヘッドを旋回させることを容易にするために、一対のアームに旋回式に連結されたベース部材であって、
前壁と、
後壁と、
前壁及び後壁から上向きに延在し、外部リップ表面とフェース表面とを備えるヘッド部分と、を備えるベース部材と、
本体に動作可能に連結され、旋回ヘッドをホーム位置へと付勢するように構成された付勢部材と、を備える旋回ヘッドとを備え、
外部リップ表面は、前方外部表面と共平面をなさず、
ヘッド部分は、第１の垂直距離よりも高い第１の垂直高さを備える、剃毛ハンドルと、を備える、剃毛システム。
ＰＹ．第１の垂直高さは約０．５ｍｍ〜約２ｍｍである、段落ＰＸに記載の剃毛システム。
ＰＺ．前壁は、約１．５ｍｍ〜約５ｍｍの第２の垂直高さを備える、段落ＰＹに記載の剃毛システム。
ＱＡ．第２の垂直高さは約３．１ｍｍである、段落ＰＺに記載の剃毛システム。
ＱＢ．後壁は、約５．５ｍｍ〜約１２ｍｍの第３の垂直高さを備える、段落ＱＡに記載の剃毛システム。
ＱＣ．第３の垂直高さは約８ｍｍである、段落ＱＢに記載の剃毛システム。
ＱＤ．
旋回ヘッドは、横方向に延在し、前壁及び後壁によって規定される、下端部における下部長さを備え、
旋回ヘッドは、横方向に延在し、前壁及び後壁によって規定される、上端部における上部長さを備え、
下端部における旋回ヘッドの下部長さは、上端部における旋回ヘッドの上部長さよりも長い、段落ＰＸに記載の剃毛システム。
ＱＥ．
下部長さは約２５ｍｍ〜約５５ｍｍであり、
上部長さは約２０ｍｍ〜約４０ｍｍである、段落ＱＤに記載の剃毛システム。
ＱＦ．
下部長さは約３５ｍｍであり、
上部長さは約３０ｍｍである、段落ＱＥに記載の剃毛システム。
ＱＧ．
旋回ヘッドは、長手方向に延在し、前壁及び後壁によって規定される、下端部における下部幅を備え、
旋回ヘッドは、長手方向に延在し、前壁及び後壁によって規定される、上端部における上部幅を備え、
下端部における旋回ヘッドの下部幅は、上端部における旋回ヘッドの上部幅よりも広い、段落ＰＸに記載の剃毛システム。
ＱＨ．
下部幅は約３ｍｍ〜約８ｍｍであり、
上部幅は、約１ｍｍ〜約６ｍｍである、段落ＱＧに記載の剃毛システム。
ＱＩ．
下部幅は約３．９ｍｍであり、
上部幅は約３．４ｍｍである、段落ＱＨに記載の剃毛システム。
ＱＪ．前壁と後壁は、互いに対して角度をなし、一対のＶ字形溝を画定し、アームの各々は、Ｖ字形溝の間に延在し、旋回ヘッドが旋回されるときにＶ字形溝内で移動するように構成されている、段落ＰＸに記載の剃毛システム。
ＱＫ．フェース表面はアパーチャを画定する、段落ＰＸに記載の剃毛システム。
ＱＬ．流体リザーバを更に備え、アパーチャは流体リザーバと流体連通している、段落ＱＫに記載の剃毛システム。
ＱＭ．ヘッド部分は少なくとも部分的に伝導性材料から形成される、段落ＰＸに記載の剃毛システム。
ＱＮ．伝導性材料は加熱コントローラと電気通信する、段落ＱＭに記載の剃毛システム。
【００７７】
本明細書において開示された寸法（例えば、長さ、幅、高さ、及び距離）及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【００７８】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとは見なされず、あるいはそれを単独で又は他の任意の参考文献と組み合わせたときに、そのような発明全てを教示、示唆又は開示するとは見なされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００７９】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を添付の特許請求の範囲に網羅することが意図されている。
【図１】
2021516130.tif 000003
【図２】
2021516130.tif 000004
【図３】
2021516130.tif 000005
【図４】
2021516130.tif 000006
【図５】
2021516130.tif 000007
【図６】
2021516130.tif 000008
【図７】
2021516130.tif 000009
【図８】
2021516130.tif 000010
【図９】
2021516130.tif 000011
【図１０】
2021516130.tif 000012
【図１１】
2021516130.tif 000013
【図１２】
2021516130.tif 000014
【図１３】
2021516130.tif 000015
【図１４】
2021516130.tif 000016
【図１５】
2021516130.tif 000017
【図１６】
2021516130.tif 000018
【図１７】
2021516130.tif 000019
【図１８】
2021516130.tif 000020
【図１９】
2021516130.tif 000021
【図２０】
2021516130.tif 000022
【図２１】
2021516130.tif 000023
【図２２】
2021516130.tif 000024
【図２３】
2021516130.tif 000025
【図２４】
2021516130.tif 000026
【図２５】
2021516130.tif 000027
【図２６】
2021516130.tif 000028
【図２７】
2021516130.tif 000029
【図２８】
2021516130.tif 000030
【図２９】
2021516130.tif 000031
【図３０】
2021516130.tif 000032
【図３１】
2021516130.tif 000033
【図３２】
2021516130.tif 000034
【図３３】
2021516130.tif 000035
【図３４】
2021516130.tif 000036
【図３５】
2021516130.tif 000037
【図３６】
2021516130.tif 000038
【図３７】
2021516130.tif 000039
【図３８】
2021516130.tif 000040
【図３９】
2021516130.tif 000041
【国際調査報告】
2021516130.tif 000042
2021516130.tif 000043
2021516130.tif 000044